(57)【要約】【課題】  飲料注出経路を工具無しで取り付け・取り外しが可能なカウンタドラフトを提供すること。【解決手段】  軸取付部材１３は、その内側の下に雌ネジが螺刻されているので、タワー本体１４に螺刻された雄ネジ１４ａと螺合することにより、タワー本体１４に着脱することが可能である。従って、軸取付部材１３と一体にある飲料注出経路（注出コック１１や、コック取付軸１３ａ、ワンタッチ継手１３ｂ、飲料ホース１５から形成されるもの）は、軸取付部材１３を介して、タワー本体１４に対して、工具無しで取り付け・取り外しが可能である。【選択図】  図２
2006069665.tif 000002
【特許請求の範囲】
【請求項１】
カウンターに立設されたタワー本体と、前記タワー本体に内蔵された飲料ホースと、前記飲料ホースに連通するとともに前記タワー本体に突設されたコック取付軸と、前記コック取付軸に螺設された注出コックと、を有するカウンタードラフトにおいて、
前記タワー本体に対して前記コック取付軸を着けたり外したりし得る着脱手段を備えたこと、を特徴とするカウンタードラフト。
【請求項２】
請求項１に記載するカウンタードラフトであって、
前記着脱手段は、
前記タワー本体に螺設された第１螺子部と、
前記コック取付軸に螺設された第２螺子部と、を備え、
前記第１螺子部と前記第２螺子部とが螺合するものであること、
を特徴とするカウンタードラフト。
【請求項３】
請求項１に記載するカウンタードラフトであって、
前記着脱手段は、
前記タワー本体に形設された切欠部と、
前記コック取付軸に形設された溝部と、を備え、
前記切欠部に前記溝部が差し込まれるものであること、
を特徴とするカウンタードラフト。
【請求項４】
請求項３に記載するカウンタードラフトであって、
前記タワー本体を分割自在にして前記切欠部を分断する回動手段を備えたこと、を特徴とするカウンタードラフト。
【請求項５】
カウンターに立設されたタワー本体と、前記タワー本体に内蔵された飲料ホースと、前記飲料ホースに連通するとともに前記タワー本体に突設されたコック取付軸と、前記コック取付軸に螺設された注出コックと、前記タワー本体及び前記コック取付軸に内蔵された冷却水ホースと、を有するカウンタードラフトにおいて、
前記飲料ホースを遊挿したパイプと、
前記コック取付軸に対して冷却水ホースを着けたり外したりし得るワンタッチ継手と、
前記タワー本体に対して前記コック取付軸を着けたり外したりし得る着脱手段と、
を備えたこと、を特徴とするカウンタードラフト。
【請求項６】
カウンターに立設されたタワー本体と、前記タワー本体に内蔵された飲料ホースと、前記飲料ホースに連通するとともに前記タワー本体に突設されたコック取付軸と、前記コック取付軸に螺設された注出コックと、前記タワー本体及び前記コック取付軸に内蔵された冷却水ホースと、を有するカウンタードラフトにおいて、
前記飲料ホースを遊挿したパイプと、
前記コック取付軸に抜き差し自在に内在する冷却水ホースに付設され前記コック取付軸の内側に接触するに冷却ブロックと、
前記タワー本体に対して前記コック取付軸を着けたり外したりし得る着脱手段と、
を備えたこと、を特徴とするカウンタードラフト。
【請求項７】
カウンターに立設されたタワー本体と、前記タワー本体に内蔵された飲料ホースと、前記飲料ホースに連通するとともに前記タワー本体に突設されたコック取付軸と、前記コック取付軸に螺設された注出コックと、前記タワー本体及び前記コック取付軸に内蔵された冷却水ホースと、を有するカウンタードラフトにおいて、
前記飲料ホースと前記冷却ホースをともに前記タワー本体の外部で着脱し得るパイプ部材と、
前記パイプ部材を覆設する断熱材と、
前記断熱材の長手方向に設けられたスリットの開閉を行うマジックテープ（登録商標）と、
前記コック取付軸に抜き差し自在に内在する冷却水ホースに付設され前記コック取付軸の内側に接触する冷却ブロックと、
前記タワー本体に対して前記コック取付軸を着けたり外したりし得る着脱手段と、
を備えたこと、を特徴とするカウンタードラフト。
【請求項８】
請求項２に記載するカウンタードラフトであって、
前記タワー本体及び前記第１螺子部から前記コック取付軸を突出させるために形成された貫通穴と、
前記タワー本体の上部から前記タワー本体及び前記第１螺子部に形成されることにより前記貫通穴に連通する切欠溝と、を備えたこと、を特徴とするカウンタードラフト。
【請求項９】
請求項１に記載するカウンタードラフトであって、
前記着脱手段としてユニオン継手を備え、
前記ユニオン継手は、ユニオンねじとユニオンつばとが嵌め合わさってユニオンナットを介して連結されること、を特徴とするカウンタードラフト。
【発明の詳細な説明】
【技術分野】
【０００１】
本発明は、生ビールなどの飲料を注出するためのカウンタードラフトに関するものである。
【背景技術】
【０００２】
例えば、図５１の側面図や図５２の断面図に示すカウンタードラフト７０１は、注出コック７１１や、カバー７１２、軸取付部材７１３、タワー本体７１４、飲料パイプ７１５、断熱材７１６などから構成されている。そして、このようなカウンタードラフト７０１では、注出コック７１１と軸取付部材７１３とがナット７２５を介して接続されているため、注出コック７１１を軸取付部材７１３から工具無しで取り外すことができるものの、タワー本体７１４がカウンター７２１にネジ７２２とナット７２３で固定され、タワー本体７１４内に差し込まれた飲料パイプ７１５がカウンター７２１の下で飲料ホース７２４と接続されているので、注出経路を形成する軸取付部材７１３及び飲料パイプ７１５をタワー本体７１４から取り外すことができない。
【０００３】
また、図５３の側面図や図５４の部分断面図に示すカウンタードラフト８０１は、注出コック８１１や、軸取付部材８１２、タワー本体８１４、飲料パイプ８１５、断熱材８１６などから構成されている。そして、このようなカウンタードラフト８０１では、注出コック８１１と軸取付部材８１２とがナット８２５を介して接続されているため、注出コック８１１を軸取付部材８１２から工具無しで取り外すことができ、さらに、軸取付部材８１２とタワー本体８１４とがネジ８２７を介して接続されているため、軸取付部材８１２をタワー本体８１４から工具により取り外すことができる。従って、タワー本体８１４がカウンター８２１にネジ８２２とナット８２３で固定されていても、注出経路を形成する軸取付部材８１２及び飲料パイプ８１５をタワー本体８１４から取り外すことができる。
但し、注出経路を形成する軸取付部材８１２及び飲料パイプ８１５をタワー本体８１４から取り外す際には、軸取付部材８１２をタワー本体８１４から取り外すための工具を必要とする。
【０００４】
また、図５５の側面図や図５６の側面図に示す飲料注出装置９０１は、注出コック９１１や、コック取付軸９１２、タワー本体９１４、飲料パイプ９１５などから構成されている（例えば、特許文献１参照）。そして、このような飲料注出装置９０１は、注出コック９１１とコック取付軸９１２とがナット９２５を介して接続されているため、注出コック９１１をコック取付軸９１２から工具無しで取り外すことができ、さらに、コック取付軸９１２とタワー本体９１４とがナット９２６を介して接続されているため、コック取付軸９１２をタワー本体９１４から工具無しで取り外すことができる。従って、タワー本体９１４がディスペンサ９２１にネジ９２２で固定されていても、注出経路を形成するコック取付軸９１２及び飲料パイプ９１５をタワー本体９１４から取り外すことができる。
但し、コック取付軸９１２をタワー本体９１４に取り付ける箇所９２７が大きく、そのままの構造でカウンタードラフトに応用することは困難である。
【特許文献１】実開昭６３−１５７０００号公報
【０００５】
また、下記特許文献２には、注出経路を丸ごと交換することができるビールディスペンサの洗浄装置が記載されているが、この点、カウンタードラフトは、本体がカウンターに固定されており、本体自体が重いこともあって、下記特許文献３に記載された注出経路を丸ごと交換する構造をそのままカウンタードラフトに応用することは困難である。
【特許文献２】特開平９−４８４９７号公報
【０００６】
また、従来では、取付用ブロックで注出経路を丸ごと交換することができるビールサーバーが存在するが、この背景技術では、注出コックを取り外すにはブロックごと取り外さなければならず、さらに、天板まで取り外さなければならない。それらに加え、取付用ブロックが大きく、下方向におさえるものがないことから、そのままの構造でカウンタードラフトに応用することは困難である。
【０００７】
一方、図５７の説明図や図５８の断面図に示すカウンタードラフト１０００では、蓄氷型の飲料冷却装置であるディスペンサ１００１の入口１００３から出口１００７を通過する際に飲料が冷却され、その冷却された飲料は、飲料ホース１００６と飲料パイプ１０１４とコック取付軸１０１８とを通って、注出コック１０１０から注出される。このとき、冷却された飲料が通る飲料ホース１００６と飲料パイプ１０１４とコック取付軸１０１８とを冷却するため、ディスペンサ１００１内の冷却水をポンプ１００２により、吐出側冷却ホース１００４と戻り側冷却ホース１００５と冷却パイプ１０１５，１０１６とに循環させている。この冷却循環機能を必要とする目的は、例えば、飲料がビールの場合、注出間隔があいてしまうと、周囲温度により温められ、管路内発泡を起こし、正常な注出ができないからである。また、タワー本体１００９は、カウンター１０２１にネジ１０２２で固定されている。また、設置時には、ワンタッチ継手１１１１，１１１２ａ，１１１２ｂを介して、各ホース１００４，１００５，１００６と各パイプ１０１４，１０１５，１０１６とを接続するが、さらに、各ホース１００４，１００５，１００６については、図５８に示すように、テープ１０１９で互いに締結し、断熱材１００８で覆っている。
この点、飲料注出経路を形成する飲料パイプ１０１４とコック取付軸１０１８は、タワー本体１００９に固定されているので、飲料注出経路を形成する飲料パイプ１０１４とコック取付軸１０１８をタワー本体１００９から取り外すことは困難である。また、飲料ホース１００６も断熱材１００８に覆われていることから、飲料ホース１００６を交換することは容易ではない。
【発明の開示】
【発明が解決しようとする課題】
【０００８】
そこで、本発明は、上述した点を鑑みてなされたものであり、飲料注出経路を工具無しで取り付け・取り外しが可能なカウンタドラフトを提供することを課題とする。
【課題を解決するための手段】
【０００９】
この課題を解決するために成された請求項１に係る発明は、カウンターに立設されたタワー本体と、前記タワー本体に内蔵された飲料ホースと、前記飲料ホースに連通するとともに前記タワー本体に突設されたコック取付軸と、前記コック取付軸に螺設された注出コックと、を有するカウンタードラフトにおいて、前記タワー本体に対して前記コック取付軸を着けたり外したりし得る着脱手段を備えたこと、を特徴としている。
【００１０】
また、請求項２に係る発明は、請求項１に記載するカウンタードラフトであって、前記着脱手段は、前記タワー本体に螺設された第１螺子部と、前記コック取付軸に螺設された第２螺子部と、を備え、前記第１螺子部と前記第２螺子部とが螺合するものであること、を特徴としている。
【００１１】
また、請求項３に係る発明は、請求項１に記載するカウンタードラフトであって、前記着脱手段は、前記タワー本体に形設された切欠部と、前記コック取付軸に形設された溝部と、を備え、前記切欠部に前記溝部が差し込まれるものであること、を特徴としている。
【００１２】
また、請求項４に係る発明は、請求項３に記載するカウンタードラフトであって、前記タワー本体を分割自在にして前記切欠部を分断する回動手段を備えたこと、を特徴としている。
【００１３】
また、請求項５に係る発明は、カウンターに立設されたタワー本体と、前記タワー本体に内蔵された飲料ホースと、前記飲料ホースに連通するとともに前記タワー本体に突設されたコック取付軸と、前記コック取付軸に螺設された注出コックと、前記タワー本体及び前記コック取付軸に内蔵された冷却水ホースと、を有するカウンタードラフトにおいて、前記飲料ホースを遊挿したパイプと、前記コック取付軸に対して冷却水ホースを着けたり外したりし得るワンタッチ継手と、前記タワー本体に対して前記コック取付軸を着けたり外したりし得る着脱手段と、を備えたこと、を特徴としている。
【００１４】
また、請求項６に係る発明は、カウンターに立設されたタワー本体と、前記タワー本体に内蔵された飲料ホースと、前記飲料ホースに連通するとともに前記タワー本体に突設されたコック取付軸と、前記コック取付軸に螺設された注出コックと、前記タワー本体及び前記コック取付軸に内蔵された冷却水ホースと、を有するカウンタードラフトにおいて、前記飲料ホースを遊挿したパイプと、前記コック取付軸に抜き差し自在に内在する冷却水ホースに付設され前記コック取付軸の内側に接触するに冷却ブロックと、前記タワー本体に対して前記コック取付軸を着けたり外したりし得る着脱手段と、を備えたこと、を特徴としている。
【００１５】
また、請求項７に係る発明は、カウンターに立設されたタワー本体と、前記タワー本体に内蔵された飲料ホースと、前記飲料ホースに連通するとともに前記タワー本体に突設されたコック取付軸と、前記コック取付軸に螺設された注出コックと、前記タワー本体及び前記コック取付軸に内蔵された冷却水ホースと、を有するカウンタードラフトにおいて、前記飲料ホースと前記冷却ホースをともに前記タワー本体の外部で着脱し得るパイプ部材と、前記パイプ部材を覆設する断熱材と、前記断熱材の長手方向に設けられたスリットの開閉を行うマジックテープ（登録商標）と、前記コック取付軸に抜き差し自在に内在する冷却水ホースに付設され前記コック取付軸の内側に接触する冷却ブロックと、前記タワー本体に対して前記コック取付軸を着けたり外したりし得る着脱手段と、を備えたこと、を特徴としている。
【００１６】
また、請求項８に係る発明は、請求項２に記載するカウンタードラフトであって、前記タワー本体及び前記第１螺子部から前記コック取付軸を突出させるために形成された貫通穴と、前記タワー本体の上部から前記タワー本体及び前記第１螺子部に形成されることにより前記貫通穴に連通する切欠溝と、を備えたこと、を特徴としている。
【００１７】
また、請求項９に係る発明は、請求項１に記載するカウンタードラフトであって、前記着脱手段としてユニオン継手を備え、前記ユニオン継手は、ユニオンねじとユニオンつばとが嵌め合わさってユニオンナットを介して連結されること、を特徴としている。
【発明の効果】
【００１８】
すなわち、本発明のカウンタードラフトでは、タワー本体に対してコック取付軸を着けたり外したりし得るので、注出コックとコック取付軸と飲料ホースとから一体的に形成される飲料注出経路を工具無しで取り付け・取り外しが可能である。
【発明を実施するための最良の形態】
【００１９】
以下、本発明の実施の形態を図面を参照にして説明する。
【実施例１】
【００２０】
第１実施の形態のカウンタードラフトを図１乃至図４に示す。図１は、第１実施の形態のカウンタードラフトの使用時の側面図である。図２は、第１実施の形態のカウンタードラフトの分解時の側面図である。図３は、第１実施の形態のカウンタードラフトの軸取付部材付近の断面図である。図４は、第１実施の形態のカウンタードラフトに取付可能なカバーの側面図である。
【００２１】
図１や図２に示すように、第１実施の形態のカウンタードラフト１は、注出コック１１や、カバー１２、軸取付部材１３、タワー本体１４、飲料ホース１５、断熱材１６などから構成され、タワー本体１４がカウンター２１にネジ２２とナット２３で固定されている。そして、図３に示すように、第１実施の形態のカウンタードラフト１では、注出コック１１や、コック取付軸１３ａ、ワンタッチ継手１３ｂ、飲料ホース１５から、飲料注出経路が形成されている。この点、上記飲料注出経路の一部を形成するコック取付軸１３ａとワンタッチ継手１３ｂは、軸取付部材１３の一部分であることから、上記飲料注出経路は、軸取付部材１３と一体にある。
【００２２】
さらに、軸取付部材１３は、その内側の上下に雌ネジ１３ｃ，１３ｄが螺刻されているので、タワー本体１４に螺刻された雄ネジ１４ａ（図２参照）やカバー１２に螺刻された雄ネジ１２ａと螺合することにより、タワー本体１４やカバー１２に着脱することが可能である。従って、図２に示すように、軸取付部材１３と一体にある上記飲料注出経路（注出コック１１や、コック取付軸１３ａ、ワンタッチ継手１３ｂ、飲料ホース１５から形成されるもの）は、軸取付部材１３を介して、タワー本体１４に対して、工具無しで取り付け・取り外しが可能である。
【００２３】
よって、第１実施の形態のカウンタードラフト１は、洗浄殺菌を必要とする上記飲料注出経路（注出コック１１や、コック取付軸１３ａ、ワンタッチ継手１３ｂ、飲料ホース１５から形成されるもの）をタワー本体１４に対し容易に取り付け・取り外しが行え、上記飲料注出経路（注出コック１１や、コック取付軸１３ａ、ワンタッチ継手１３ｂ、飲料ホース１５から形成されるもの）の洗浄作業をより簡便にし、飲料の劣化を防ぎ、美味の飲料の注出を可能している。
【００２４】
また、第１実施の形態のカウンタードラフト１では、上記飲料注出経路（注出コック１１や、コック取付軸１３ａ、ワンタッチ継手１３ｂ、飲料ホース１５から形成されるもの）について、一体関係にある軸取付部材１３が小さいことから、洗浄済みにあるものをそのまま入れ替えることができる。
【００２５】
従って、第１実施の形態のカウンタードラフト１では、上記飲料注出経路（注出コック１１や、コック取付軸１３ａ、ワンタッチ継手１３ｂ、飲料ホース１５から形成されるもの）の接続等が容易であることから、洗浄時だけでなく設置時にも、効果を発揮する。
【００２６】
また、第１実施の形態のカウンタードラフト１では、上部のヘッド部を各種形状に変更することにより、色々な外観を増やすことが可能となる。
【００２７】
尚、タワー本体１４やカバー１２に対し軸取付部材１３を着脱する手段は、ネジ１３ｃ，１３ｄ，１２ａ，１４ａの螺合に限るものではなく、例えば、１／４回転で固定するものや、ラッチ式でワンタッチで固定するものであってもよい。
また、カバー１２には、互換性があり、例えば、図４に示すように、形状が異なるカバー１７を使用してもよい。
【実施例２】
【００２８】
第２実施の形態のカウンタードラフトを図５と図６に示す。図５は、第２実施の形態のカウンタードラフトの使用時の側面図である。図６は、第２実施の形態のカウンタードラフトの分解時の側面図である。
【００２９】
図５や図６に示すように、第２実施の形態のカウンタードラフト３１は、注出コック４１や、軸取付部材４２、タワー本体４４、飲料ホース４５、断熱材４６などから構成され、タワー本体４４がカウンター５１にネジ５２とナット５３で固定されている。さらに、注出コック４１と軸取付部材４２とがナット５５を介して接続されているため、注出コック４１を軸取付部材４２から工具無しで取り外すことができる。
【００３０】
そして、第２実施の形態のカウンタードラフト３１では、注出コック４１や、軸取付部材４２（その内部で注出コック４１と飲料ホース４５を接続するコック取付軸やワンタッチ継手も含む）、飲料ホース４５から、飲料注出経路が形成されている。この点、上記飲料注出経路の一部を形成する軸取付部材４２内のコック取付軸やワンタッチ継手は、軸取付部材４２の一部分であることから、上記飲料注出経路は、軸取付部材４２と一体にある。
【００３１】
さらに、軸取付部材４２は、その外側にナット５６が設けられているので、タワー本体４４の先端に螺刻された雄ネジ４４ａ（図６参照）と螺合することにより、タワー本体４４に着脱することが可能である。従って、図６に示すように、軸取付部材４２と一体にある上記飲料注出経路（注出コック４１や、軸取付部材４２（その内部で注出コック４１と飲料ホース４５を接続するコック取付軸やワンタッチ継手も含む）、飲料ホース４５から形成されるもの）は、軸取付部材４２を介して、タワー本体４４に対して、工具無しで取り付け・取り外しが可能である。
【００３２】
よって、第２実施の形態のカウンタードラフト３１は、洗浄殺菌を必要とする上記飲料注出経路（注出コック４１や、軸取付部材４２（その内部で注出コック４１と飲料ホース４５を接続するコック取付軸やワンタッチ継手も含む）、飲料ホース４５から形成されるもの）をタワー本体４４に対し容易に取り付け・取り外しが行え、上記飲料注出経路（注出コック４１や、軸取付部材４２（その内部で注出コック４１と飲料ホース４５を接続するコック取付軸やワンタッチ継手も含む）、飲料ホース４５から形成されるもの）の洗浄作業をより簡便にし、飲料の劣化を防ぎ、美味の飲料の注出を可能している。
【００３３】
また、第２実施の形態のカウンタードラフト３１では、上記飲料注出経路（注出コック４１や、軸取付部材４２（その内部で注出コック４１と飲料ホース４５を接続するコック取付軸やワンタッチ継手も含む）、飲料ホース４５から形成されるもの）について、一体関係にある軸取付部材４２が小さいことから、洗浄済みにあるものをそのまま入れ替えることができる。
【００３４】
従って、第２実施の形態のカウンタードラフト３１では、上記飲料注出経路（注出コック４１や、軸取付部材４２（その内部で注出コック４１と飲料ホース４５を接続するコック取付軸やワンタッチ継手も含む）、飲料ホース４５から形成されるもの）の接続等が容易であることから、洗浄時だけでなく設置時にも、効果を発揮する。
【００３５】
また、第２実施の形態のカウンタードラフト３１では、タワー本体４４のＲ部分が存在するが、軸取付部材４２とタワー本体４４とが分割可能にしているので、軸取付部材４２を単純に横に動かすだけで、上記飲料注出経路（注出コック４１や、軸取付部材４２（その内部で注出コック４１と飲料ホース４５を接続するコック取付軸やワンタッチ継手も含む）、飲料ホース４５から形成されるもの）をタワー本体４４に対して取り付け・取り外しが可能である。
【００３６】
尚、タワー本体４４に対し軸取付部材４２を着脱する手段は、雄ネジ４４ａとナット５６の螺合に限るものではなく、例えば、１／４回転で固定するものや、ラッチ式でワンタッチで固定するものであってもよい。
【００３７】
また、第２実施の形態のカウンタードラフト３１では、タワー本体４４のＲ部分に対して、断熱材４６で覆われたホース４５を抜き差しすることが少し手間となるが、背景技術と比べて、軸取付部材４２が小さくなることにメリットがある。
【実施例３】
【００３８】
第３実施の形態のカウンタードラフトを図７と図８に示す。図７は、第３実施の形態のカウンタードラフトの使用時の側面図である。図８は、第３実施の形態のカウンタードラフトの分解時の側面図である。
【００３９】
図７や図８に示すように、第３実施の形態のカウンタードラフト７１は、注出コック８１や、軸取付部材８２、タワー本体８４、飲料ホース８５、断熱材８６などから構成され、タワー本体８４がカウンター９１にネジ９２とナット９３で固定されている。さらに、注出コック８１と軸取付部材８２とがナット９５を介して接続されているため、注出コック８１を軸取付部材２２から工具無しで取り外すことができる。
【００４０】
そして、第３実施の形態のカウンタードラフト７１では、注出コック８１や、軸取付部材８２（その内部で注出コック８１と飲料ホース８５を接続するコック取付軸やワンタッチ継手も含む）、飲料ホース８５から、飲料注出経路が形成されている。この点、上記飲料注出経路の一部を形成する軸取付部材８２内のコック取付軸やワンタッチ継手は、軸取付部材８２の一部分であることから、上記飲料注出経路は、軸取付部材８２と一体にある。
【００４１】
さらに、軸取付部材８２は、その外側にナット９６が設けられているので、タワー本体８４の先端に螺刻された雄ネジ８４ａ（図８参照）と螺合することにより、タワー本体８４に着脱することが可能である。従って、図８に示すように、軸取付部材８２と一体にある上記飲料注出経路（注出コック８１や、軸取付部材８２（その内部で注出コック８１と飲料ホース８５を接続するコック取付軸やワンタッチ継手も含む）、飲料ホース８５から形成されるもの）は、軸取付部材８２を介して、タワー本体８４に対して、工具無しで取り付け・取り外しが可能である。
【００４２】
よって、第３実施の形態のカウンタードラフト７１は、洗浄殺菌を必要とする上記飲料注出経路（注出コック８１や、軸取付部材８２（その内部で注出コック８１と飲料ホース８５を接続するコック取付軸やワンタッチ継手も含む）、飲料ホース８５から形成されるもの）をタワー本体８４に対し容易に取り付け・取り外しが行え、上記飲料注出経路（注出コック８１や、軸取付部材８２（その内部で注出コック８１と飲料ホース８５を接続するコック取付軸やワンタッチ継手も含む）、飲料ホース８５から形成されるもの）の洗浄作業をより簡便にし、飲料の劣化を防ぎ、美味の飲料の注出を可能している。
【００４３】
また、第３実施の形態のカウンタードラフト７１では、上記飲料注出経路（注出コック８１や、軸取付部材８２（その内部で注出コック８１と飲料ホース８５を接続するコック取付軸やワンタッチ継手も含む）、飲料ホース８５から形成されるもの）について、一体関係にある軸取付部材８２が小さいことから、洗浄済みにあるものをそのまま入れ替えることができる。
【００４４】
従って、第３実施の形態のカウンタードラフト７１では、上記飲料注出経路（注出コック８１や、軸取付部材８２（その内部で注出コック８１と飲料ホース８５を接続するコック取付軸やワンタッチ継手も含む）、飲料ホース８５から形成されるもの）の接続等が容易であることから、洗浄時だけでなく設置時にも、効果を発揮する。
【００４５】
また、第３実施の形態のカウンタードラフト７１では、軸取付部材８２のＲ部分が存在するが、軸取付部材８２とタワー本体８４とが分割可能にしているので、軸取付部材８２を単純に上に動かすだけで、上記飲料注出経路（注出コック８１や、軸取付部材８２（その内部で注出コック８１と飲料ホース８５を接続するコック取付軸やワンタッチ継手も含む）、飲料ホース８５から形成されるもの）をタワー本体８４に対して取り付け・取り外しが可能である。
【００４６】
尚、タワー本体８４に対し軸取付部材８２を着脱する手段は、雄ネジ８４ａとナット９６の螺合に限るものではなく、例えば、１／４回転で固定するものや、ラッチ式でワンタッチで固定するものであってもよい。
【００４７】
また、第３実施の形態のカウンタードラフト８１では、第２実施の形態のカウンタードラフト３１と比べて、軸取付部材８２が大きくなるが、タワー本体８４が真っ直ぐなため、断熱材８６で覆われたホース８５を抜き差しすることが容易となるメリットがある。
【実施例４】
【００４８】
第４実施の形態のカウンタードラフトを図９乃至図１９に示す。図９は、第４実施の形態のカウンタードラフトの使用時の正面図である。図１０は、第４実施の形態のカウンタードラフトの使用時の側面図である。図１１は、第４実施の形態のカウンタードラフトの使用時の上面図である。図１２は、第４実施の形態のカウンタードラフトを図１０の線Ｂ−Ｂで切断した部分断面図である。図１３は、第４実施の形態のカウンタードラフトの分解時の部分断面図である。図１４は、第４実施の形態のカウンタードラフトにおける飲料注出経路を示した側面図である。図１５は、第４実施の形態のカウンタードラフトにおける飲料注出経路を示した上面図である。図１６は、第４実施の形態のカウンタードラフトにおけるタワー本体を示した正面図である。図１７は、第４実施の形態のカウンタードラフトにおけるタワー本体を示した側面図である。図１８は、第４実施の形態のカウンタードラフトにおけるカバーを示した部分断面図である。図１９は、第４実施の形態のカウンタードラフトにおける飲料注出経路の一部を示した正面図である。
【００４９】
図９乃至図１２に示すように、第４実施の形態のカウンタードラフト１０１は、注出コック１１１や、タワー本体１１２、カバー１１３、コック取付軸１１４ａ、プレート１１４ｂ，１１４ｃ、ワンタッチ継手１１５、飲料ホース１１６、断熱材１１７などから構成され、タワー本体１１２がカウンター１２１にネジ１２２とナット１２３で固定されている。さらに、注出コック１１１とコック取付軸１１４ａとがナット１２４を介して接続されているため、図１３に示すように、注出コック１１１をコック取付軸１１４ａから工具無しで取り外すことができる。
【００５０】
そして、第４実施の形態のカウンタードラフト１０１では、図１４と図１５に示すように、注出コック１１１や、プレート１１４ｂ，１１４ｃを設けたコック取付軸１１４ａ、ワンタッチ継手１１５、断熱材１１７で覆われた飲料ホース１１６から、飲料注出経路が形成されている。この点、上記飲料注出経路の一部を形成するコック取付軸１１４ａに設けられたプレート１１４ｂ，１１４ｃは、コック取付軸１１４ａの一部分であることから、上記飲料注出経路は、プレート１１４ｂ，１１４ｃと一体にある。
【００５１】
さらに、プレート１１４ｂ，１１４ｃは、その間に凹部１１４ｄが形成されているので、タワー本体１１２の先端に形設されたＵ字切欠部１１２ｂ，１１２ｃに（図１６と図１７参照）、その上方向から嵌め合わせることにより、タワー本体１１２に着脱することが可能である。従って、プレート１１４ｂ，１１４ｃと一体にある上記飲料注出経路（注出コック１１１や、プレート１１４ｂ，１１４ｃを設けたコック取付軸１１４ａ、ワンタッチ継手１１５、断熱材１１７で覆われた飲料ホース１１６から形成されるもの）は、プレート１１４ｂ，１１４ｃを介して、タワー本体１１２に対して、工具無しで取り付け・取り外しが可能である。
【００５２】
よって、第４実施の形態のカウンタードラフト１０１は、洗浄殺菌を必要とする上記飲料注出経路（注出コック１１１や、プレート１１４ｂ，１１４ｃを設けたコック取付軸１１４ａ、ワンタッチ継手１１５、断熱材１１７で覆われた飲料ホース１１６から形成されるもの）をタワー本体１１２に対し容易に取り付け・取り外しが行え、上記飲料注出経路（注出コック１１１や、プレート１１４ｂ，１１４ｃを設けたコック取付軸１１４ａ、ワンタッチ継手１１５、断熱材１１７で覆われた飲料ホース１１６から形成されるもの）の洗浄作業をより簡便にし、飲料の劣化を防ぎ、美味の飲料の注出を可能している。
【００５３】
また、第４実施の形態のカウンタードラフト１０１では、上記飲料注出経路（注出コック１１１や、プレート１１４ｂ，１１４ｃを設けたコック取付軸１１４ａ、ワンタッチ継手１１５、断熱材１１７で覆われた飲料ホース１１６から形成されるもの）について、一体関係にあるプレート１１４ｂ，１１４ｃを設けたコック取付軸１１４ａが小さいことから、洗浄済みにあるものをそのまま入れ替えることができる。
【００５４】
従って、第４実施の形態のカウンタードラフト１０１では、上記飲料注出経路（注出コック１１１や、プレート１１４ｂ，１１４ｃを設けたコック取付軸１１４ａ、ワンタッチ継手１１５、断熱材１１７で覆われた飲料ホース１１６から形成されるもの）の接続等が容易であることから、洗浄時だけでなく設置時にも、効果を発揮する。
【００５５】
また、第４実施の形態のカウンタードラフト１０１では、タワー本体１１２の先端に形設されたＵ字切欠部１２ｂ，１２ｃについて、下方にあるＵ字切欠部１２ｂよりも上方にあるＵ字切欠部１２ｃを若干大きめにして、２段階のクリアランスを形成しているので、その上方向から、プレート１１４ｂ，１１４ｃの間に形成された凹部４ｄを嵌め合わせることにつき、最初は挿入しやすく、最後にしっかりと固定することが可能になる。
【００５６】
また、第４実施の形態のカウンタードラフト１０１では、カバー１１３に螺設された雌ネジ１１３ａと（図１８参照）、タワー本体１１２の先端に螺設された雄ネジ１１２ｄ（図１６と図１７参照）とを螺合させることにより、プレート１１４ｂを上方向からカバー１１３で押さえつける構造である。従って、注出コック１１１を操作する際に、上方向にずれることがない構造である。
【実施例５】
【００５７】
第５実施の形態のカウンタードラフトを図２０乃至図２６に示す。図２０は、第５実施の形態のカウンタードラフトの使用時の正面図である。図２１は、第５実施の形態のカウンタードラフトの分解時の側面図である。図２２は、第５実施の形態のカウンタードラフトの使用時の上面図である。図２３は、第５実施の形態のカウンタードラフトを図２０のＣ−Ｃで切断した部分断面図である。図２４は、第５実施の形態のカウンタードラフトにおける飲料注出経路を示した側面図である。図２５は、第５実施の形態のカウンタードラフトのカバーとタワー本体を示した正面図である。図２６は、第５実施の形態のカウンタードラフトのカバーとタワー本体に対して飲料注出経路を取り付けた際の状態を示した正面図である。
【００５８】
図２０乃至図２３に示すように、第５実施の形態のカウンタードラフト２０１は、注出コック２１１や、タワー本体２１２、カバー２１３、コック取付軸２１４、ワンタッチ継手２１５、飲料ホース２１６、断熱材２１７などから構成され、タワー本体２１２がカウンター２２１にネジ２２２とナット２２３で固定されている。さらに、注出コック２１１とコック取付軸２１４とがナット２２４を介して接続されているため、注出コック２１１をコック取付軸２１４から工具無しで取り外すことができる。
【００５９】
そして、第５実施の形態のカウンタードラフト２０１においては、タワー本体２１２とカバー２１３とがヒンジ２１９で連結されており、図２１に示すように、タワー本体２１２に対してカバー２１３が回動する構造になっている。さらに、図２５に示すように、タワー本体２１２には半円状の切欠部２１２ａが形成されるとともに、カバー２１３にも半円状の切欠部２１３ａが形成されている。一方、第５実施の形態のカウンタードラフト２０１においては、図２４に示すように、注出コック２１１や、コック取付軸２１４、ワンタッチ継手２１５、飲料ホース２１６から、飲料注出経路が形成されている。従って、上記飲料注出経路は、コック取付軸２１４と一体にある。
【００６０】
さらに、コック取付軸２１４は、その周囲に切欠部２１４ａが形成されているので、タワー本体２１２に対してカバー２１３が開いた状態にして（図２１参照）、タワー本体２１２に形成された半円状の切欠部２１２ａに（図２５参照）、その上方向から嵌め合わせ、その後に、タワー本体２１２に対してカバー２１３を閉じた状態にして（図２０参照）、カバー２１３に形成された半円状の切欠部２１３ａを（図２５参照）、その上方向から嵌め合わせること（押さえ込み構造）により、タワー本体２１２に着けることが可能であり（図２６参照）、その逆を行えば、タワー本体２１２から外すことが可能である。
【００６１】
従って、コック取付軸２１４と一体にある上記飲料注出経路（注出コック２１１や、コック取付軸２１４、ワンタッチ継手２１５、飲料ホース２１６から形成されるもの）は、コック取付軸２１４を介して、タワー本体２１２に対して、工具無しで取り付け・取り外しが可能である。
【００６２】
よって、第５実施の形態のカウンタードラフト２０１は、洗浄殺菌を必要とする上記飲料注出経路（注出コック２１１や、コック取付軸２１４、ワンタッチ継手２１５、飲料ホース２１６から形成されるもの）をタワー本体２１２に対し容易に取り付け・取り外しが行え、上記飲料注出経路（注出コック２１１や、コック取付軸２１４、ワンタッチ継手２１５、飲料ホース２１６から形成されるもの）の洗浄作業をより簡便にし、飲料の劣化を防ぎ、美味の飲料の注出を可能している。
【００６３】
また、第５実施の形態のカウンタードラフト２０１では、上記飲料注出経路（注出コック２１１や、コック取付軸２１４、ワンタッチ継手２１５、飲料ホース２１６から形成されるもの）について、一体関係にあるコック取付軸２１４が小さいことから、洗浄済みにあるものをそのまま入れ替えることができる。
【００６４】
従って、第５実施の形態のカウンタードラフト２０１では、上記飲料注出経路（注出コック２１１や、コック取付軸２１４、ワンタッチ継手２１５、飲料ホース２１６から形成されるもの）の接続等が容易であることから、洗浄時だけでなく設置時にも、効果を発揮する。
【００６５】
さらに、第５実施の形態のカウンタードラフト２０１では、タワー本体２１２に対してカバー２１３をパッチン錠２１８で締結することができるので、コック取付軸２１４を確実に固定することができる構造である。
尚、タワー本体２１２に対してカバー２１３を締結する部材は、パッチン錠２１８に限るものではなく、他の締結部材であってもよい。
【実施例６】
【００６６】
第６実施の形態のカウンタードラフトを図２７乃至図３１に示す。図２７は、第６実施の形態のカウンタードラフトの使用時の正面図である。図２８は、第６実施の形態のカウンタードラフトの分解時の側面図である。図２９は、第６実施の形態のカウンタードラフトの分解時の上面図である。図３０は、第６実施の形態のカウンタードラフトの側面図である。図３１は、第６実施の形態のカウンタードラフトにおける飲料注出経路を示した側面図である。
【００６７】
図２７乃至図３１に示すように、第６実施の形態のカウンタードラフト２５１は、注出コック２６１や、縦に２分割されたタワー本体２６２ａ，２６２ｂ、コック取付軸２６４、ワンタッチ継手２６５、飲料ホース２６６、断熱材２６７などから構成され、一方のタワー本体２６２ａがカウンター２８１にネジ２８２とナット２８３で固定されている。さらに、注出コック２６１とコック取付軸２６４とがナット２８４を介して接続されているため、注出コック２６１をコック取付軸２６４から工具無しで取り外すことができる。
【００６８】
そして、第６実施の形態のカウンタードラフト２５１においては、縦に２分割されたタワー本体２６２ａ，２６２ｂがヒンジ２７０で連結されており、図２８に示すように、一方のタワー本体２６２ａに対して他方のタワー本体２６２ｂが回動する構造になっている。さらに、図２８に示すように、一方のタワー本体２６２ａには半円状の切欠部２６２ｃが形成されるとともに、他方のタワー本体２６２ｂにも半円状の切欠部２６２ｄが形成されている。一方、第６実施の形態のカウンタードラフト２５１においては、図３１に示すように、注出コック２６１や、コック取付軸２６４、ワンタッチ継手２６５、飲料ホース２６６から、飲料注出経路が形成されている。従って、上記飲料注出経路は、コック取付軸２６４と一体にある。
【００６９】
さらに、コック取付軸２６４は、その周囲に切欠部２６４ａが形成されているので、一方のタワー本体２６２ａに対して他方のタワー本体２６２ｂが開いた状態にして（図２８乃至図３０参照）、一方のタワー本体２６２ａに形成された半円状の切欠部２６２ｃに（図２５参照）、その横方向から嵌め合わせ、その後に、一方のタワー本体２６２ａに対して他方のタワー本体２６２ｂを閉じた状態にして（図２７参照）、他方のタワー本体２６２ｂに形成された半円状の切欠部２６２ｄを（図２５参照）、その横方向から嵌め合わせること（挟み込み構造）により、タワー本体２６２ａ，２６２ｂに着けることが可能であり（図２７参照）、その逆を行えば、タワー本体２６２ａ，２６２ｂから外すことが可能である。
【００７０】
従って、コック取付軸２６４と一体にある上記飲料注出経路（注出コック２６１や、コック取付軸２６４、ワンタッチ継手２６５、飲料ホース２６６から形成されるもの）は、コック取付軸２６４を介して、タワー本体２６２ａ，２６２ｂに対して、工具無しで取り付け・取り外しが可能である。
【００７１】
よって、第６実施の形態のカウンタードラフト２５１は、洗浄殺菌を必要とする上記飲料注出経路（注出コック２６１や、コック取付軸２６４、ワンタッチ継手２６５、飲料ホース２６６から形成されるもの）をタワー本体２６２ａ，２６２ｂに対し容易に取り付け・取り外しが行え、上記飲料注出経路（注出コック２６１や、コック取付軸２６４、ワンタッチ継手２６５、飲料ホース２６６から形成されるもの）の洗浄作業をより簡便にし、飲料の劣化を防ぎ、美味の飲料の注出を可能している。
【００７２】
また、第６実施の形態のカウンタードラフト２５１では、上記飲料注出経路（注出コック２６１や、コック取付軸２６４、ワンタッチ継手２６５、飲料ホース２６６から形成されるもの）について、一体関係にあるコック取付軸２６４が小さいことから、洗浄済みにあるものをそのまま入れ替えることができる。
【００７３】
従って、第６実施の形態のカウンタードラフト２５１では、上記飲料注出経路（注出コック２６１や、コック取付軸２６４、ワンタッチ継手２６５、飲料ホース２６６から形成されるもの）の接続等が容易であることから、洗浄時だけでなく設置時にも、効果を発揮する。
【００７４】
さらに、第６実施の形態のカウンタードラフト２５１では、一方のタワー本体２６２ａに対して他方のタワー本体２６２ｂをパッチン錠２７３で締結することができるので、コック取付軸２６４を確実に固定することができる構造である。
尚、一方のタワー本体２６２ａに対して他方のタワー本体２６２ｂを締結する部材は、パッチン錠２７３に限るものではなく、他の締結部材であってもよい。
【実施例７】
【００７５】
第７実施の形態のカウンタードラフトを図３２乃至図３６に示す。図３２は、第７実施の形態のカウンタードラフトの使用時の説明図である。図３３は、第７実施の形態のカウンタードラフトを図３２の線Ｃ−Ｃで切断した断面図である。図３４は、第７実施の形態のカウンタードラフトの側面図である。図３５は、第７実施の形態のカウンタードラフトの一部を拡大した断面図である。図３６は、第７実施の形態のカウンタードラフトの分解時における一部を拡大した断面図である。
【００７６】
図３２乃至図３６に示すように、第７実施の形態のカウンタードラフト３０１では、蓄氷型の飲料冷却装置であるディスペンサ３１１の入口３１３から出口３１７を通過する際に飲料が冷却され、その冷却された飲料は、飲料ホース３１６とワンタッチ継手３３２とコック取付軸３２８とを通って、注出コック３２０から注出される。このとき、冷却された飲料が通る飲料ホース３１６とコック取付軸３２８とを冷却するため、ディスペンサ３１１内の冷却水をポンプ３１２により、吐出側冷却ホース３１４と戻り側冷却ホース３１５とワンタッチ継手３３３ａ，３３３ｂ，３３３ｃとに循環させている。この点、ワンタッチ継手３３３ｃは、コック取付軸３２８の周囲を覆うパイプである。この冷却循環機能を必要とする目的は、例えば、飲料がビールの場合、注出間隔があいてしまうと、周囲温度により温められ、管路内発泡を起こし、正常な注出ができないからである。
【００７７】
また、タワー本体３１９は、カウンター３５１にネジ３５２で固定されている。また、タワー本体３１９内に配置されたパイプ３３１ａには飲料ホース３１６が挿通されており、さらに、パイプ３３１ａの下端からディスペンサ３１１までに付設された断熱材３１８の内部を通る部位には屈曲自在なジャバラ管３３０ａが配置されており、このジャバラ管３３０ａが冷却ホース３１４，３１５に接触することにより、ジャバラ管３３０ａ及びパイプ３３１ａを介して、冷熱を飲料ホース３１６に伝導する構造になっている。尚、ジャバラ管３３０ａ及びパイプ３３１ａの材質は問わないが、熱伝導率の高い金属製がより適している。
【００７８】
また、上部のカバー３３７は、カバー３３７の下部に螺刻された雄ネジ３３７ａとコック取付軸３２８の上部に螺刻された雌ネジ３２８ａが螺合することにより、コック取付軸３２８に取り付けられる。
【００７９】
そして、第７実施の形態のカウンタードラフト３０１では、注出コック３２０や、コック取付軸３２８、ワンタッチ継手３３２、ワンタッチ継手３３３ａ，３３３ｂ，３３３ｃから、飲料注出経路が形成されている。従って、上記飲料注出経路は、コック取付軸３２８と一体にある。この点、コック取付軸３２８は、コック取付軸３２８の下方に螺刻された雄ネジ３２８ｂがナット３３５と螺合することにより、タワー本体３１９に対して締結されている。従って、上記飲料注出経路（注出コック３２０や、コック取付軸３２８、ワンタッチ継手３３２から形成されるもの）及び、冷水循環経路（ワンタッチ継手３３３ａ，３３３ｂ，３３３ｃから形成されるもの）は、タワー本体３１９から工具無しで取り外すことができる。
【００８０】
よって、第７実施の形態のカウンタードラフト３０１は、洗浄殺菌を必要とする上記飲料注出経路（注出コック３２０や、コック取付軸３２８、ワンタッチ継手３３２から形成されるもの）をタワー本体３１９に対し容易に取り付け・取り外しが行え、上記飲料注出経路（注出コック３２０や、コック取付軸３２８、ワンタッチ継手３３２から形成されるもの）の洗浄作業をより簡便にし、飲料の劣化を防ぎ、美味の飲料の注出を可能している。
【００８１】
また、第７実施の形態のカウンタードラフト３０１では、上記飲料注出経路（注出コック３２０や、コック取付軸３２８、ワンタッチ継手３３２から形成されるもの）及び、冷水循環経路（ワンタッチ継手３３３ａ，３３３ｂ，３３３ｃから形成されるもの）について、一体関係にあるコック取付軸３２８が小さいことから、洗浄済みにあるものをそのまま入れ替えることができる。
【００８２】
従って、第７実施の形態のカウンタードラフト３０１では、上記飲料注出経路（注出コック３２０や、コック取付軸３２８、ワンタッチ継手３３２から形成されるもの）及び、冷水循環経路（ワンタッチ継手３３３ａ，３３３ｂ，３３３ｃから形成されるもの）の接続等が容易であることから、洗浄時だけでなく設置時にも、効果を発揮する。
【００８３】
尚、第７実施の形態のカウンタードラフト３０１において、上記飲料注出経路（注出コック３２０や、コック取付軸３２８、ワンタッチ継手３３２から形成されるもの）の交換時には、工具無しでナット３３５を緩めて、上記飲料注出経路（注出コック３２０や、コック取付軸３２８、ワンタッチ継手３３２から形成されるもの）及び、冷水循環経路（ワンタッチ継手３３３ａ，３３３ｂ，３３３ｃから形成されるもの）をタワー本体３１９から取り外し、さらに、ワンタッチ継手３３２とワンタッチ継手３３３ａ，３３３ｂにより、飲料ホース３１６と冷却ホース３１４，３１５を上記飲料注出経路（注出コック３２０や、コック取付軸３２８、ワンタッチ継手３３２から形成されるもの）及び、冷水循環経路（ワンタッチ継手３３３ａ，３３３ｂ，３３３ｃから形成されるもの）から取り外せば、このとき、飲料ホース３１６が挿通されているパイプ３３１ａ及びジャバラ管３３０ａの内部には、飲料ホース３１６との間にクリアランス３３０ｂ，３３１ｂが確保されているため、ディスペンサ３１１の出口３１７側に設けられたワンタッチ継手から飲料ホース３１６を取り外した状態で、上方又は下方に飲料ホース３１６に引き抜けば、飲料ホース３１６のみを取り出すことが可能である。また、この逆を行えば、飲料ホース３１６のみを取り入れることが可能である。
【００８４】
以上より、第７実施の形態のカウンタードラフト３０１では、冷却機能を損なうことなく、上記飲料注出経路（注出コック３２０や、コック取付軸３２８、ワンタッチ継手３３２から形成されるもの）及び、冷水循環経路（ワンタッチ継手３３３ａ，３３３ｂ，３３３ｃから形成されるもの）を交換したり、飲料ホース３１６のみを取り出したり取り入れたりすることができる。
【００８５】
また、第７実施の形態のカウンタードラフト３０１においては、タワー本体３１９に対してコック取付軸３２８をナット３３５により締結して取り付けているが、これに限るものではなく、上記第１実施例乃至上記第６実施例における取り付け構造であってもよい。
【実施例８】
【００８６】
第８実施の形態のカウンタードラフトを図３７乃至図４３に示す。図３７は、第８実施の形態のカウンタードラフトの使用時の説明図である。図３８は、第８実施の形態のカウンタードラフトを図３７の線Ｅ−Ｅで切断した断面図である。図３９は、第８実施の形態のカウンタードラフトの側面図である。図４０は、第８実施の形態のカウンタードラフトの一部を拡大した断面図である。図４１は、第８実施の形態のカウンタードラフトの分解時における一部を拡大した断面図である。図４２は、第８実施の形態のカウンタードラフトを図４１の線Ｆ−Ｆで切断した断面図である。図４３は、第８実施の形態のカウンタードラフトを図４１の線Ｇ−Ｇで切断した断面図である。
【００８７】
図３７乃至図４３に示すように、第８実施の形態のカウンタードラフト４０１では、蓄氷型の飲料冷却装置であるディスペンサ４１１の入口４１３から出口４１７を通過する際に飲料が冷却され、その冷却された飲料は、飲料ホース４１６とワンタッチ継手４３２とコック取付軸４２８とを通って、注出コック４２０から注出される。このとき、冷却された飲料が通る飲料ホース４１６とコック取付軸４２８とを冷却するため、ディスペンサ４１１内の冷却水をポンプ４１２により、吐出側冷却ホース４１４と戻り側冷却ホース４１５とワンタッチ継手４３３ａ，４３３ｂと冷却パイプ４４０ａ，４４０ｂと冷却ブロック
４４２に循環させている。この点、冷却ブロック４４２は、コック取付軸４２８に接触するものである。この冷却循環機能を必要とする目的は、例えば、飲料がビールの場合、注出間隔があいてしまうと、周囲温度により温められ、管路内発泡を起こし、正常な注出ができないからである。
【００８８】
また、タワー本体４１９は、カウンター４５１にネジ４５２で固定されている。また、タワー本体４１９内に配置されたパイプ４３１ａには飲料ホース４１６が挿通されており、さらに、パイプ４３１ａの下端からディスペンサ４１１までに付設された断熱材４１８の内部を通る部位には屈曲自在なジャバラ管４３０ａが配置されており、このジャバラ管４３０ａが冷却ホース４１４，４１５に接触することにより、ジャバラ管４３０ａ及びパイプ４３１ａを介して、冷熱を飲料ホース４１６に伝導する構造になっている。尚、ジャバラ管４３０ａ及びパイプ４３１ａの材質は問わないが、熱伝導率の高い金属製がより適している。
【００８９】
さらに、図４３に示すように、冷却パイプ４４０ａ，４４０ｂがパイプ４３１ａに接触しており、より冷却効果を高めている。尚、より接触面積を増やして冷却効率を高める方法としては、冷却パイプ４４０ａ，４４０ｂをパイプ４３１ａに溶接により結合する、冷却パイプ４４０ａ，４４０ｂが接触するパイプ４３１ａの断面を半円状にする、冷却パイプ４４０ａ，４４０ｂをパイプ４３１ａに対して螺旋状に巻く、といった種々の方法が考えられる。
【００９０】
また、図４２に示すように、冷却ブロック４４２には、冷却パイプ４４０ａ，４４０ｂに連結する冷却通路４４２ａが内設されている。従って、冷却パイプ４４０ａと冷却通路４４２ａと冷却パイプ４４０ｂとを冷却水が流れることにより、冷却ブロック４４２を冷却することができる。この点、冷却ブロック４４２に形成されたＵ字切欠部４４２ｂにはコック取付軸４２８の外周面が接触することから、冷却ブロック４４２を介して、冷熱をコック取付軸４２８に伝導する構造になっている。尚、冷却ブロック４４２の材質は問わないが、熱伝導率の高い金属製がより適している。
【００９１】
また、上部のカバー４３７は、カバー４３７の下部に螺刻された雄ネジ４３７ａとコック取付軸４２８の上部に螺刻された雌ネジ４２８ａが螺合することにより、コック取付軸４２８に取り付けられる。
【００９２】
そして、第８実施の形態のカウンタードラフト４０１では、注出コック４２０や、コック取付軸４２８、ワンタッチ継手４３２から、飲料注出経路が形成されている。従って、上記飲料注出経路は、コック取付軸４２８と一体にある。この点、コック取付軸４２８は、コック取付軸４２８の下方に螺刻された雄ネジ４２８ｂがナット４３５と螺合することにより、タワー本体４１９に対して締結されている。従って、上記飲料注出経路（注出コック４２０や、コック取付軸４２８、ワンタッチ継手４３２から形成されるもの）は、タワー本体４１９から工具無しで取り外すことができる。
【００９３】
よって、第８実施の形態のカウンタードラフト４０１は、洗浄殺菌を必要とする上記飲料注出経路（注出コック４２０や、コック取付軸４２８、ワンタッチ継手４３２から形成されるもの）をタワー本体４１９に対し容易に取り付け・取り外しが行え、上記飲料注出経路（注出コック４２０や、コック取付軸４２８、ワンタッチ継手４３２から形成されるもの）の洗浄作業をより簡便にし、飲料の劣化を防ぎ、美味の飲料の注出を可能している。
【００９４】
また、第８実施の形態のカウンタードラフト４０１では、上記飲料注出経路（注出コック４２０や、コック取付軸４２８、ワンタッチ継手４３２から形成されるもの）について
、一体関係にあるコック取付軸４２８が小さいことから、洗浄済みにあるものをそのまま入れ替えることができる。
【００９５】
従って、第８実施の形態のカウンタードラフト４０１では、上記飲料注出経路（注出コック４２０や、コック取付軸４２８、ワンタッチ継手４３２から形成されるもの）の接続等が容易であることから、洗浄時だけでなく設置時にも、効果を発揮する。
【００９６】
尚、第８実施の形態のカウンタードラフト４０１において、上記飲料注出経路（注出コック４２０や、コック取付軸４２８、ワンタッチ継手４３２から形成されるもの）の交換時には、工具無しでナット４３５を緩めて、上記飲料注出経路（注出コック４２０や、コック取付軸４２８、ワンタッチ継手４３２から形成されるもの）をタワー本体４１９から取り外し、さらに、ワンタッチ継手４３２により、飲料ホース４１６を上記飲料注出経路（注出コック４２０や、コック取付軸４２８、ワンタッチ継手４３２から形成されるもの）から取り外せば、このとき、飲料ホース４１６が挿通されているパイプ４３１ａ及びジャバラ管４３０ａの内部には、飲料ホース４１６との間にクリアランス４３０ｂ，４３１ｂが確保されているため、ディスペンサ４１１の出口４１７側に設けられたワンタッチ継手から飲料ホース４１６を取り外した状態で、上方又は下方に飲料ホース４１６に引き抜けば、飲料ホース４１６のみを取り出すことが可能である。また、この逆を行えば、飲料ホース４１６のみを取り入れることが可能である。
【００９７】
以上より、第８実施の形態のカウンタードラフト４０１では、冷却機能を損なうことなく、上記飲料注出経路（注出コック４２０や、コック取付軸４２８、ワンタッチ継手４３２から形成されるもの）を交換したり、飲料ホース４１６のみを取り出したり取り入れたりすることができる。
【００９８】
また、第８実施の形態のカウンタードラフト４０１においては、タワー本体４１９に対してコック取付軸４２８をナット４３５により締結して取り付けているが、これに限るものではなく、上記第１実施例乃至上記第６実施例における取り付け構造であってもよい。
【実施例９】
【００９９】
第９実施の形態のカウンタードラフトを図４４乃至図５０に示す。図４４は、第９実施の形態のカウンタードラフトの使用時の説明図である。図４５は、第９実施の形態のカウンタードラフトを図４４の線Ｈ−Ｈで切断した断面図である。図４６は、第９実施の形態のカウンタードラフトを図４４の線Ｈ−Ｈで切断した断面図であって、飲料ホースのみを取り出した際の状態を示したものである。
【０１００】
図４４乃至図４６に示すように、第９実施の形態のカウンタードラフト５０１では、蓄氷型の飲料冷却装置であるディスペンサ５１１の入口５１３から出口５１７を通過する際に飲料が冷却され、その冷却された飲料は、飲料ホース５１６とワンタッチ継手５３２とコック取付軸５２８とを通って、注出コック５２０から注出される。このとき、冷却された飲料が通る飲料ホース５１６とコック取付軸５２８とを冷却するため、ディスペンサ５１１内の冷却水をポンプ５１２により、吐出側冷却ホース５１４と戻り側冷却ホース５１５とワンタッチ継手５３３ａ，５３３ｂとパイプ５４０ａ，５４０ｂと冷却ブロック５４２に循環させている。この点、冷却ブロック５４２は、コック取付軸５２８に接触するものである。この冷却循環機能を必要とする目的は、例えば、飲料がビールの場合、注出間隔があいてしまうと、周囲温度により温められ、管路内発泡を起こし、正常な注出ができないからである。
【０１０１】
また、タワー本体５１９は、カウンター５５１にネジ５５２で固定されている。また、タワー本体５１９内に配置されたパイプ５３１ａには飲料ホース５１６が挿通されており、さらに、パイプ５３１ａの下端からディスペンサ４１１までに付設された断熱材５１８の内部では、冷却ホース５１４，５１５と飲料ホース５１６とがパースロックなどの締結部材５５５によりまとめられている。これにより、冷却ホース５１４，５１５からの冷熱を直接的な接触により飲料ホース５１６に伝導する構造になっている。
【０１０２】
また、断熱材５１８には縦方向にスリット５４１が設けられており、このスリット５４１付近にある断熱材５１８の表面被覆部５４０が重なる部分５４２には、マジックテープ（登録商標）５４３，５４４が設けられている。
【０１０３】
そして、冷却ブロック５４２の構成については、上記実施例８と同様であり、冷却ブロック５４２を介して、冷熱をコック取付軸５２８に伝導する構造になっている。
【０１０４】
また、上部のカバー５３７の構成についても、上記実施例８と同様であり、カバー５３７の下部に螺刻された雄ネジとコック取付軸５２８の上部に螺刻された雌ネジが螺合することにより、コック取付軸５２８に取り付けられる。
【０１０５】
そして、第９実施の形態のカウンタードラフト５０１では、注出コック５２０や、コック取付軸５２８、ワンタッチ継手５３２から、飲料注出経路が形成されている。従って、上記飲料注出経路は、コック取付軸５２８と一体にある。この点、コック取付軸５２８は、コック取付軸５２８の下方に螺刻された雄ネジ５２８ｂがナット５３５と螺合することにより、タワー本体５１９に対して締結されている。従って、上記飲料注出経路（注出コック５２０や、コック取付軸５２８、ワンタッチ継手５３２から形成されるもの）は、タワー本体５１９から工具無しで取り外すことができる。
【０１０６】
よって、第９実施の形態のカウンタードラフト５０１は、洗浄殺菌を必要とする上記飲料注出経路（注出コック５２０や、コック取付軸５２８、ワンタッチ継手５３２から形成されるもの）をタワー本体５１９に対し容易に取り付け・取り外しが行え、上記飲料注出経路（注出コック５２０や、コック取付軸５２８、ワンタッチ継手５３２から形成されるもの）の洗浄作業をより簡便にし、飲料の劣化を防ぎ、美味の飲料の注出を可能している。
【０１０７】
また、第９実施の形態のカウンタードラフト５０１では、上記飲料注出経路（注出コック５２０や、コック取付軸５２８、ワンタッチ継手５３２から形成されるもの）について、一体関係にあるコック取付軸５２８が小さいことから、洗浄済みにあるものをそのまま入れ替えることができる。
【０１０８】
従って、第９実施の形態のカウンタードラフト５０１では、上記飲料注出経路（注出コック５２０や、コック取付軸５２８、ワンタッチ継手５３２から形成されるもの）の接続等が容易であることから、洗浄時だけでなく設置時にも、効果を発揮する。
【０１０９】
尚、第９実施の形態のカウンタードラフト５０１において、上記飲料注出経路（注出コック５２０や、コック取付軸５２８、ワンタッチ継手５３２から形成されるもの）の交換時には、工具無しでナット５３５を緩めて、上記飲料注出経路（注出コック５２０や、コック取付軸５２８、ワンタッチ継手５３２から形成されるもの）をタワー本体５１９から取り外し、さらに、ワンタッチ継手５３２により、飲料ホース５１６を上記飲料注出経路（注出コック５２０や、コック取付軸５２８、ワンタッチ継手５３２から形成されるもの）から取り外せば、このとき、飲料ホース５１６が挿通されているパイプ５３１ａの内部には、飲料ホース４１６との間にクリアランス５３１ｂが確保されているため、ディスペンサ５１１の出口５１７側に設けられたワンタッチ継手から飲料ホース５１６を取り外した状態で、上方又は下方に飲料ホース５１６に引き抜けば、飲料ホース５１６のみを取り
出すことが可能である。また、この逆を行えば、飲料ホース５１６のみを取り入れることが可能である。
【０１１０】
特に、第９実施の形態のカウンタードラフト５０１では、図４６に示すように、断熱材５１８の表面被覆部５４０が重なる部分５４２のマジックテープ（登録商標）５４３，５４４を外し、パースロックなどの締結部材５５５を開ければ、タワー本体５１９からディスペンサー５１１までの飲料ホース５１６のみを取り出すことが可能である。また、この逆を行えば、タワー本体５１９からディスペンサー５１１までの飲料ホース５１６のみを取り入れることが可能である。このとき、マジックテープ（登録商標）５４３，５４４は何度も着脱が可能であり、パースロックなどの締結部材５５５も何度も開閉が可能である。
【０１１１】
従って、マジックテープ（登録商標）５４３，５４４を外せば、断熱材５１８内にある飲料ホース５１６を確認することができるので、飲料ホース５１６の交換の是非を飲料ホース５１６の視認により判断することができる。
【０１１２】
尚、第９実施の形態のカウンタードラフト５０１では、パースロックなどの締結部材５５５と冷却ホース５１４，５１５に代わって、図４７及び図４８に示すように、吐出側の冷却水が流れる部位５６２と戻り側の冷却水が流れる部位５６３と飲料ホース５１６を保持するための保持部５６４が一体に成形されたパイプ部材５６１を使用してもよい。このパイプ部材５６１を使用した場合には、飲料ホース５１６が保持部５６４に確実に固定されるため、部位５６２，５６３を流れる冷却水により飲料ホース５１６が確実に冷却されるし、断熱材５１８の表面被覆部５４０が重なる部分５４２のマジックテープ（登録商標）５４３，５４４を外し、飲料ホース５１６を保持部５６４から外せば、タワー本体５１９からディスペンサー５１１までの飲料ホース５１６のみを取り出すことが可能である。
【０１１３】
また、一体に成形されたパイプ部材５６１には、他にも、図４９に示すように、吐出側の冷却水が流れる部位５７２と戻り側の冷却水が流れる部位５７３と２つの飲料ホース５１６を保持するための保持部５７４，５７５が一体に成形されたパイプ部材５７１や、図５０に示すように、冷却水が流れる部位５８２と飲料ホース５１６を保持するための保持部５８３が一体に成形されたパイプ部材５８１などがある。
【０１１４】
以上より、第９実施の形態のカウンタードラフト５０１では、冷却機能を損なうことなく、上記飲料注出経路（注出コック５２０や、コック取付軸５２８、ワンタッチ継手５３２から形成されるもの）を交換したり、飲料ホース５１６のみを取り出したり取り入れたりすることができる。
【０１１５】
また、第９実施の形態のカウンタードラフト５０１においては、タワー本体５１９に対してコック取付軸５２８をナット５３５により締結して取り付けているが、これに限るものではなく、上記第１実施例乃至上記第６実施例における取り付け構造であってもよい。
【実施例１０】
【０１１６】
第１０実施の形態のカウンタードラフトを図５９乃至図６２に示す。図５９は、第１０実施の形態のカウンタードラフトの使用時の側面図である。図６０は、第１０実施の形態のカウンタードラフトの一部を分解した側面図である。図６１は、第１０実施の形態のカウンタードラフトの使用時の断面図である。図６２は、第１０実施の形態のカウンタードラフトの一部を分解して拡大した側面図である。
【０１１７】
図５９乃至図６１に示すように、第１０実施の形態のカウンタードラフト２００１は、注出コック２０１１や、カバー２０１２、軸取付部材２０１３、タワー本体２０１４、ベース２０１７、飲料ホース２０１５などから構成され、タワー本体２０１４がベース２０１７を介してカウンター２０２１に固定される。そして、図６０や図６１に示すように、第１０実施の形態のカウンタードラフト２００１では、注出コック２０１１や、コック取付軸２０１１ｂ、ワンタッチ継手２０１１ｃ、飲料ホース２０１５から、飲料注出経路が形成されている。
【０１１８】
この点、飲料注出経路（注出コック２０１１や、コック取付軸２０１１ｂ、ワンタッチ継手２０１１ｃ、飲料ホース２０１５から形成されるもの）は、注出コック２０１１が軸取付部材２０１３に取り付けられた際には、注出コック２０１１が横方向に固定される一方で、縦方向のタワー本体２０１４内に飲料ホース２０１５を導くため、コック取付軸２０１１ｂを介して、飲料ホース２０１５が着脱されるワンタッチ継手２０１１ｃが下方を向いて固定されており、これにより、全体として、約９０度に湾曲している。
【０１１９】
また、軸取付部材２０１３には、図６０と図６２に示すように、ユニオン継手を構成するユニオンねじ２０１３ａが突設されている。一方、図５９乃至図６１に示すように、注出コック２０１１には、ユニオン継手を構成するユニオンナット２０１１ａが設けられている。従って、ユニオンねじ２０１３ａに対しユニオンナット２０１１ａを螺合させることにより、注出コック２０１１を軸取付部材２０１３に取り付けることができる。
【０１２０】
もっとも、このとき、コック取付軸２０１１ｂは、ユニオンねじ２０１３ａの中央に設けられた貫通穴２０１３ｃ（図６２参照）に位置する。そして、図６２に示すように、ユニオンねじ２０１３ａが設けられた軸取付部材２０１３には、軸取付部材２０１３の上端から貫通穴２０１３ｃにまで切欠溝２０１３ｂが設けれられている。従って、注出コック２０１１を軸取付部材２０１３に取り付ける際は、カバー２０１２を取り外した状態の軸取付部材２０１３において、注出コック２０１１のコック取付軸２０１１ｂを取付部材２０１３の切欠溝２０１３ｂを通すことにより、注出コック２０１１のコック取付軸２０１１ｂを取付部材２０１３の貫通穴２０１３ｃに位置させる。その後は、取付部材２０１３のユニオンねじ２０１３ａに対し注出コック２０１１のユニオンナット２０１１ａを螺合させることによって、注出コック２０１１を軸取付部材２０１３に取り付ける。
【０１２１】
以上より、飲料注出経路（注出コック２０１１や、コック取付軸２０１１ｂ、ワンタッチ継手２０１１ｃ、飲料ホース２０１５から形成されるもの）が約９０度に湾曲していても、コック取付軸２０１１ｂやワンタッチ継手２０１１ｃ（飲料注出経路内をなるべく外気に触れないようにすべくクリーンな状態を保つため飲料ホース２０１５が取り付けられた状態を含む）が一体となった状態の注出コック２０１１をそのままの状態で軸取付部材２０１３に非常に簡単に取り付けることができる。
【０１２２】
また、その逆に、ユニオンナット２０１１ａをユニオンねじ２０１３ａから回し外すことにより、注出コック２０１１を軸取付部材２０１３から取り外すことができる。このとき、取付部材２０１３の貫通穴２０１３ｃに位置する注出コック２０１１のコック取付軸２０１１ｂを、カバー２０１２を取り外した状態にある取付部材２０１３の切欠溝２０１３ｂを通して、取付部材２０１３の外部に引き上げることにより、注出コック２０１１を軸取付部材２０１３から取り外す。
【０１２３】
以上より、飲料注出経路（注出コック２０１１や、コック取付軸２０１１ｂ、ワンタッチ継手２０１１ｃ、飲料ホース２０１５から形成されるもの）が約９０度に湾曲していても、コック取付軸２０１１ｂやワンタッチ継手２０１１ｃ（飲料注出経路内をなるべく外気に触れないようにすべくクリーンな状態を保つため飲料ホース２０１５が取り付けられた状態を含む）が一体となった状態の注出コック２０１１をそのままの状態で軸取付部材２０１３から非常に簡単に取り外すことができる。
【０１２４】
また、図５９乃至図６１に示すように、上記飲料注出経路（注出コック２０１１や、コック取付軸２０１１ｂ、ワンタッチ継手２０１１ｃ、飲料ホース２０１５から形成されるもの）は、軸取付部材２０１３の切欠溝２０１３ｂを通して、軸取付部材２０１３やタワー本体２０１４に対し、工具無しで取り付け・取り外しが可能である。
【０１２５】
よって、第１０実施の形態のカウンタードラフト２００１は、洗浄殺菌を必要とする上記飲料注出経路（注出コック２０１１や、コック取付軸２０１１ｂ、ワンタッチ継手２０１１ｃ、飲料ホース２０１５から形成されるもの）を軸取付部材２０１３やタワー本体２０１４に対し容易に取り付け・取り外しが行え、上記飲料注出経路（注出コック２０１１や、コック取付軸２０１１ｂ、ワンタッチ継手２０１１ｃ、飲料ホース２０１５から形成されるもの）の洗浄作業をより簡便にし、飲料の劣化を防ぎ、美味の飲料の注出を可能している。
【０１２６】
また、第１０実施の形態のカウンタードラフト２００１では、上記飲料注出経路（注出コック２０１１や、コック取付軸２０１１ｂ、ワンタッチ継手２０１１ｃ、飲料ホース２０１５から形成されるもの）について、洗浄済みにあるものをそのまま入れ替えることができる。
【０１２７】
従って、第１０実施の形態のカウンタードラフト２００１では、上記飲料注出経路（注出コック２０１１や、コック取付軸２０１１ｂ、ワンタッチ継手２０１１ｃ、飲料ホース２０１５から形成されるもの）の接続等が容易であることから、洗浄時だけでなく設置時にも、効果を発揮する。
【実施例１１】
【０１２８】
第１１実施の形態のカウンタードラフトを図６３と図６４に示す。図６３は、第１１実施の形態のカウンタードラフトの分解時の斜視図である。図６４は、第１１実施の形態のカウンタードラフトの一部を分解した側面図である。
【０１２９】
図６３や図６４に示すように、第１１実施の形態のカウンタードラフト２１０１は、注出コック２１１１や、カバー２１１２、軸取付部材２１１３、タワー本体２１１４、ベース２１１７などから構成されている。
【０１３０】
この点、カバー２１１２には、トップピン２１１２ａなどが螺合される。また、軸取付部材２１１３の上端においては、Ｏリング２１１２ｂを介して、カバー２１１２が取り付けられる。一方、軸取付部材２１１３の下端は、リング部材２１１４ａを介して、タワー本体２１１４の上端に対して取り付けられる。また、タワー本体２１１４の下端は、ベース２１１７が嵌め込まれるとともに、その状態で一対のねじ２１１７ａ，２１１７ｂがねじ込まれることによって、タワー本体２１１４がベース２１１７に固定される。
【０１３１】
一方、注出コック２１１１には、第１ナット２１１１ｚや、ユニオンナット２１１１ａ、第１スペーサ２１１１ｄ、ユニオンつば２１１１ｅ、、第２スペーサ２１１１ｆや、第２ナット２１１１ｇ、コック取付軸２１１１ｂ、ワンタッチ継手２１１１ｃなどが取り付けられる。
【０１３２】
また、軸取付部材２１１３では、その側面に設けられた貫通穴２１１３ｃに対して、ユニオンねじ２１１３ａがはめ込まれる。さらに、軸取付部材２１１３に内接させた固定板２１１１ｈを介して、ユニオンねじ２１１３ａが所定の位置関係をもって軸取付部材２１１３から突出させた状態で固定される。そして、ユニオンねじ２１１３ａが軸取付部材２１１３に固定された状態では、ユニオンねじ２１１３ａの切欠溝２１１８ａと軸取付部材２１１３の切欠溝２１１８ｂと固定板２１１１ｈの切欠溝２１１８ｃとが重なり合い、軸取付部材２１１３の上端に連通した１つの切欠溝（不図示、以下、「重層切欠溝」という）が形成される。
【０１３３】
そして、注出コック２１１１を軸取付部材２１１３に取り付ける際には、図６４に示すように、カバー２１１２を取り外した状態の軸取付部材２１１３において、注出コック２１１１のコック取付軸２１１１ｂを取付部材２１３に形成された「重層切欠溝」を通すことにより、注出コック２１１１のコック取付軸２１１１ｂを取付部材２１１３の貫通穴２１１３ｃに位置させる。その後は、取付部材２１１３のユニオンねじ２１１３ａに対し注出コック２１１１のユニオンナット２１１１ａを螺合させることによって、注出コック２１１１を軸取付部材２１１３に取り付ける。
【０１３４】
従って、軸取付部材２１１３に対する注出コック２１１１の取付は、注出コック２１１１に取り付けられたユニオンナット２１１１ａ及びユニオンつば２１１１ｅと、さらに、軸取付部材２１１３に取り付けられたユニオンねじ２１１３ａとで構成されるユニオン継手をもって行われる。ここで、軸取付部材２１１３に対し注出コック２１１１を取り付ける際のユニオン継手内の一部を示した部分断面図であって、図６４の部分Ｂ´を拡大したものを図６５に示す。
【０１３５】
そして、上述したように、ユニオン継手を介して軸取付部材２１１３に対し注出コック２１１１を取り付ける際には、図６５に示すように、ユニオンナット２１１１ａとユニオンつば２１１１ｅとの間に形成されたスペース２１１９と、ユニオンねじ２１１３ａに形成された突起部２１１３ｂとが嵌め合わされる。これにより、軸取付部材２１１３に対し注出コック２１１１を取り付ける際には、注出コック２１１１の回動を防止する回り止めが実現され、さらに、注出コック２１１１の固定位置を確実に一方向に定めることができるので、軸取付部材２１１３に対し注出コック２１１１を取り付けることが容易となる。
【０１３６】
ここで、ユニオンつば２１１１ｅについて、その正面図を図６６に示し、その側面図を図６７に示し、その背面図を図６８に示し、その平面図を図６９に示す。図６６乃至図６９に示すように、ユニオンつば２１１１ｅの周囲上下においては、Ｄカット２１２０が形成されており、突起部２１２１の上下にもＤカット２１２２が形成されている。そして、ユニオンつば２１１１ｅを注出コック２１１１に取り付ける際には、突起部２１２１の上下に形成されたＤカット２１２２によって、注出コック２１１１に対するユニオンつば２１１１ｅの取付位置が常に所定位置に決定され、これにより、ユニオンナット２１１１ａの内面とユニオンつば２１１１ｅのＤカット２１２０とによって形成されるスペース２１１９の位置も常に所定位置にある。
【０１３７】
また、ユニオンねじ２１１３ａについて、その正面図を図７０に示し、図７０の線Ｃ´−Ｃ´で切断した断面図を図７１に示し、その背面図を図７２に示し、その平面図を図７３に示す。図７０乃至図７３に示すように、ユニオンねじ２１１３ａの端面下部に突起部２１１３ｂが形成されている。
【０１３８】
すなわち、軸取付部材２１１３に対し注出コック２１１１を取り付ける際において実現される、注出コック２１１１の回動を防止する回り止めは、比較的簡単な加工されたＤカット２１２０，２１２２や突起部２１１３ｂなどにより構成され、他に余分な部品を必要としない。
【０１３９】
また、第１１実施の形態のカウンタードラフト２１０１では、注出コック２１１１や、コック取付軸２１１１ｂ、ワンタッチ継手２１１１ｃ、さらに、ワンタッチ継手２１１１ｃに取り付けられた不図示の飲料ホースから、飲料注出経路が形成されており、上記飲料注出経路（注出コック２１１１や、コック取付軸２１１１ｂ、ワンタッチ継手２１１１ｃ、不図示の飲料ホースから形成されるもの）は、軸取付部材２１１３やタワー本体２１１４に対して、ユニオンナット２１１１ａとユニオンつば２１１１ｅとユニオンねじ２１１３ａとで構成されるユニオン継手により、工具無しで取り付け・取り外しが可能であり、特に、工具無しで取り付ける際には、注出コック２１１１の回動を防止する回り止めが実現され、よって、注出コック２１１１の固定位置を確実に一方向に定めることができるので、注出コック２１１１の方向を合わせ続ける作業がなく、ユニオン継手による締結作業が楽になる。
【０１４０】
よって、第１１実施の形態のカウンタードラフト２１０１は、洗浄殺菌を必要とする上記飲料注出経路（注出コック２１１１や、コック取付軸２１１１ｂ、ワンタッチ継手２１１１ｃ、不図示の飲料ホースから形成されるもの）を軸取付部材２１１３やタワー本体２１１４に対し容易に取り付け・取り外しが行え、上記飲料注出経路（注出コック２１１１や、コック取付軸２１１１ｂ、ワンタッチ継手２１１１ｃ、不図示の飲料ホースから形成されるもの）の洗浄作業をより簡便にし、飲料の劣化を防ぎ、美味の飲料の注出を可能している。
【０１４１】
また、第１１実施の形態のカウンタードラフト２１０１では、上記飲料注出経路（注出コック２１１１や、コック取付軸２１１１ｂ、ワンタッチ継手２１１１ｃ、不図示の飲料ホースから形成されるもの）について、洗浄済みにあるものをそのまま入れ替えることができる。
【０１４２】
従って、第１１実施の形態のカウンタードラフト２１０１では、上記飲料注出経路（注出コック２１１１や、コック取付軸２１１１ｂ、ワンタッチ継手２１１１ｃ、不図示の飲料ホースから形成されるもの）の接続等が容易であることから、洗浄時だけでなく設置時にも、効果を発揮する。
【実施例１２】
【０１４３】
第１２実施の形態のカウンタードラフトを図７４乃至図７７に示す。図７４は、第１２実施の形態のカウンタードラフトの一部を分解した側面図である。図７５は、第１２実施の形態のカウンタードラフトの一部を分解した側面図である。図７６は、第１２実施の形態のカウンタードラフトの使用時の側面図である。図７７は、第１２実施の形態のカウンタードラフトの使用時の断面図である。
【０１４４】
図７４乃至図７７に示すように、第１２実施の形態のカウンタードラフト２２０１は、注出コック２２１１や、カバー２２１２、軸取付部材２２１３、タワー本体２２１４、ベース２２１７、飲料ホース２２１５などから構成され、タワー本体２２１４がベース２２１７を介して不図示のカウンターに固定される。そして、図７４に示すように、第１２実施の形態のカウンタードラフト２２０１では、注出コック２２１１や、コック取付軸２２１１ｂ、ワンタッチ継手２２１１ｃ、飲料ホース２２１５から、飲料注出経路が形成されている。
【０１４５】
この点、飲料注出経路（注出コック２２１１や、コック取付軸２２１１ｂ、ワンタッチ継手２２１１ｃ、飲料ホース２２１５から形成されるもの）は、注出コック２２１１が軸取付部材２２１３に取り付けられた際には、注出コック２２１１が横方向に固定される一方で、縦方向のタワー本体２２１４内に飲料ホース２２１５を導くため、コック取付軸２２１１ｂを介して、飲料ホース２２１５が着脱されるワンタッチ継手２２１１ｃが下方を向いて固定されており、これにより、全体として、約９０度に湾曲している。
【０１４６】
また、軸取付部材２２１３には、図７４に示すように、ユニオン継手を構成するユニオンねじ２２１３ａが突設されている。一方、図７４乃至図７７に示すように、注出コック２２１１には、ユニオン継手を構成するユニオンナット２２１１ａが設けられている。従って、ユニオンねじ２２１３ａに対しユニオンナット２２１１ａを螺合させることにより、注出コック２２１１を軸取付部材２２１３に取り付けることができる。
【０１４７】
もっとも、このとき、コック取付軸２２１１ｂは、ユニオンねじ２２１３ａの中央に設けられた不図示の貫通穴に位置する。そして、ユニオンねじ２２１３ａが設けられた軸取付部材２２１３には、軸取付部材２２１３の上端からその貫通穴（不図示）にまで不図示の切欠溝が設けれられている。従って、注出コック２２１１を軸取付部材２２１３に取り付ける際は、カバー２２１２を取り外した状態の軸取付部材２２１３において、注出コック２２１１のコック取付軸２２１１ｂを取付部材２２１３の切欠溝（不図示）を通すことにより、注出コック２２１１のコック取付軸２２１１ｂを取付部材２２１３の貫通穴（不図示）に位置させる。その後は、取付部材２２１３のユニオンねじ２２１３ａに対し注出コック２２１１のユニオンナット２２１１ａを螺合させることによって、注出コック２２１１を軸取付部材２２１３に取り付ける。
尚、この点は、上述した第１０実施の形態のカウンタードラフト２００１（図５９乃至図６２参照）と同様である。
【０１４８】
以上より、飲料注出経路（注出コック２２１１や、コック取付軸２２１１ｂ、ワンタッチ継手２２１１ｃ、飲料ホース２２１５から形成されるもの）が約９０度に湾曲していても、コック取付軸２２１１ｂやワンタッチ継手２２１１ｃ（飲料注出経路内をなるべく外気に触れないようにすべくクリーンな状態を保つため飲料ホース２２１５が取り付けられた状態を含む）が一体となった状態の注出コック２２１１をそのままの状態で軸取付部材２２１３に非常に簡単に取り付けることができる。
【０１４９】
また、その逆に、ユニオンナット２２１１ａをユニオンねじ２２１３ａから回し外すことにより、注出コック２２１１を軸取付部材２２１３から取り外すことができる。このとき、取付部材２２１３の貫通穴（不図示）に位置する注出コック２２１１のコック取付軸２２１１ｂを、カバー２２１２を取り外した状態にある取付部材２２１３の切欠溝（不図示）を通して、取付部材２２１３の外部に引き上げることにより、注出コック２２１１を軸取付部材２２１３から取り外す。
【０１５０】
以上より、飲料注出経路（注出コック２２１１や、コック取付軸２２１１ｂ、ワンタッチ継手２２１１ｃ、飲料ホース２２１５から形成されるもの）が約９０度に湾曲していても、コック取付軸２２１１ｂやワンタッチ継手２２１１ｃ（飲料注出経路内をなるべく外気に触れないようにすべくクリーンな状態を保つため飲料ホース２２１５が取り付けられた状態を含む）が一体となった状態の注出コック２２１１をそのままの状態で軸取付部材２２１３から非常に簡単に取り外すことができる。
【０１５１】
また、図７４乃至図７７に示すように、上記飲料注出経路（注出コック２２１１や、コック取付軸２２１１ｂ、ワンタッチ継手２２１１ｃ、飲料ホース２２１５から形成されるもの）は、軸取付部材２２１３の切欠溝（不図示）を介して、軸取付部材２２１３やタワー本体２２１４に対して、工具無しで取り付け・取り外しが可能である。
【０１５２】
よって、第１２実施の形態のカウンタードラフト２２０１は、洗浄殺菌を必要とする上記飲料注出経路（注出コック２２１１や、コック取付軸２２１１ｂ、ワンタッチ継手２２１１ｃ、飲料ホース２２１５から形成されるもの）を軸取付部材２２１３やタワー本体２２１４に対し容易に取り付け・取り外しが行え、上記飲料注出経路（注出コック２２１１や、コック取付軸２２１１ｂ、ワンタッチ継手２２１１ｃ、飲料ホース２２１５から形成されるもの）の洗浄作業をより簡便にし、飲料の劣化を防ぎ、美味の飲料の注出を可能している。
【０１５３】
また、第１２実施の形態のカウンタードラフト２２０１では、上記飲料注出経路（注出コック２２１１や、コック取付軸２２１１ｂ、ワンタッチ継手２２１１ｃ、飲料ホース２２１５から形成されるもの）について、洗浄済みにあるものをそのまま入れ替えることができる。
【０１５４】
従って、第１２実施の形態のカウンタードラフト２２０１では、上記飲料注出経路（注出コック２２１１や、コック取付軸２２１１ｂ、ワンタッチ継手２２１１ｃ、飲料ホース２２１５から形成されるもの）の接続等が容易であることから、洗浄時だけでなく設置時にも、効果を発揮する。
【０１５５】
また、第１２実施の形態のカウンタードラフト２２０１において、上記飲料注出経路（注出コック２２１１や、コック取付軸２２１１ｂ、ワンタッチ継手２２１１ｃ、飲料ホース２２１５から形成されるもの）を、軸取付部材２２１３やタワー本体２２１４に対して、工具無しで取り付け・取り外しをする際には、軸取付部材２２１３からカバー２２１２を取り外す必要がある。この点、軸取付部材２２１３に対するカバー２２１２の取り付けは、図７７に示すように、カバー２２１２の内部に組み込まれたＯリング２２１１ｂの弾性を利用した嵌め合いで行われているので、軸取付部材２２１３からカバー２２１２を取り外すことを簡単ですばやく行うことができる。さらに、汚れの噛み込み・錆び付き・飲料付着による固着などによって軸取付部材２２１３からカバー２２１２を取り外すことが困難となるような事態の発生を防止することができる。
【実施例１３】
【０１５６】
第１３実施の形態のカウンタードラフトを図７８と図７９に示す。図７８は、第１３実施の形態のカウンタードラフトの使用時の断面図である。図７９は、第１３実施の形態のカウンタードラフトの使用時でカバーを取り外した際の平面図である。
【０１５７】
図７８と図７９に示すように、第１３実施の形態のカウンタードラフト２３０１は、注出コック２３１１や、カバー２３１２、軸取付部材２３１３、タワー本体２３１４、ベース２３１７などから構成され、タワー本体２３１４がベース２３１７を介して不図示のカウンターに固定される。そして、図７８に示すように、第１３実施の形態のカウンタードラフト２３０１では、注出コック２３１１や、コック取付軸２３１１ｂ、ワンタッチ継手２３３１ｃ、及び、そのワンタッチ継手２３３１ｃに取り付けられる不図示の飲料ホースから、飲料注出経路が形成されている。
【０１５８】
この点、飲料注出経路（注出コック２３１１や、コック取付軸２３１１ｂ、ワンタッチ継手２３１１ｃ、不図示の飲料ホースから形成されるもの）は、注出コック２３１１が軸取付部材２３１３に取り付けられた際には、注出コック２３１１が横方向に固定される一方で、縦方向のタワー本体２３１４内に不図示の飲料ホースを導くため、コック取付軸２３１１ｂを介して、不図示の飲料ホースが着脱されるワンタッチ継手２３１１ｃが下方を向いて固定されており、これにより、全体として、約９０度に湾曲している。
【０１５９】
また、軸取付部材２３１３には、図７８と図７９に示すように、ユニオン継手を構成するユニオンねじ２３１３ａが突設されている。この点、ユニオンねじ２３１３ａは、軸取付部材２３１３に内接された固定板２３１１ｈに対して４本のトラスネジ２３２１で固定される。このとき、ユニオンねじ２３１３ａと固定板２３１１ｈとの間には僅かな隙間が形成されており、固定板２３１１ｈが軸取付部材２３１３の内面に接触しても、この隙間に軸取付部材２３１３が介在することによって、ユニオンねじ２３１３ａは軸取付部材２３１３を挟み込みながら固定板２３１１ｈにしっかり締め付けられる。
【０１６０】
ここで、ユニオンねじ２３１３ａについて、その正面図を図８０に示し、図８０の線Ｄ´−Ｄ´で切断した断面図を図８１に示し、その背面図を図８２に示し、その平面図を図８３に示す。図８０乃至図８３に示すように、ユニオンねじ２３１３ａには、４本のトラスネジ２３２１を挿入するための挿入穴２３２２が形成され、さらに、切欠溝２３２５が形成されている。
【０１６１】
また、軸取付部材２３１３について、その正面図を図８４に示し、図８４の線Ｅ´−Ｅ´で切断した断面図を図８５に示し、図８５の線Ｆ´−Ｆ´で切断した断面図を図８６に示し、その平面図を図８７に示す。軸取付部材２３１３には、その側面に貫通穴２３１３が形成されるとともに、その上端から貫通穴２３１３に通じた切欠溝２３１３ｂが形成されている。
【０１６２】
また、固定板２３１１ｈについて、その正面図を図８８に示し、その側面図を図８９に示す。固定板２３１１ｈには、４本のトラスネジ２３２１を螺合するためのネジ穴２３２３が螺設されるとともに、その上端から切欠溝２３２４が形成されている。
【０１６３】
以上より、ユニオンねじ２３１３ａと軸取付部材２３１３と固定板２３１１ｈには、それぞれ、切欠溝２３２５，２３２１ｂ，２３２４が形成されており、それらの切欠溝２３２５，２３２１ｂ，２３２４を重ね合わせるために、ユニオンねじ２３１３ａが軸取付部材２３１３を挟み込んで固定板２３１１ｈに締め付けられる際には、その締め付け位置が所定位置に決まっている。この点、ユニオンねじ２３１３ａが軸取付部材２３１３を挟み込んで固定板２３１１ｈに締め付けられる際には、ユニオンねじ２３１３ａと固定板２３１１ｈとの間に形成された僅かな隙間に対し軸取付部材２３１３が介在するので、ユニオンねじ２３１３ａや固定板２３１１ｈの回動が防止され、ユニオンねじ２３１３ａや固定板２３１１ｈの締め付け位置を所定位置に自然にセットすることができる。
【０１６４】
従って、このようにして、ユニオンねじ２３１３ａは所定の位置関係をもって軸取付部材２３１３から突出させた状態で固定される。一方、図７８と図７９に示すように、注出コック２３１１には、ユニオン継手を構成するユニオンナット２３１１ａが設けられている。従って、ユニオンねじ２３１３ａに対しユニオンナット２３１１ａを螺合させることにより、注出コック２３１１を軸取付部材２３１３に取り付けることができる。
【０１６５】
もっとも、このとき、コック取付軸２３１１ｂは、ユニオンねじ２３１３ａの中央に設けられた貫通穴２３１３ｃに位置する。そして、上述したように、ユニオンねじ２３１３ａが設けられた軸取付部材２３１３には、軸取付部材２３１３の上端から貫通穴２３１３ｃにまで切欠溝２３２５，２３２１ｂ，２３２４が重なった状態で設けれられている。従って、注出コック２３１１を軸取付部材２３１３に取り付ける際は、カバー２３１２を取り外した状態の軸取付部材２３１３において、注出コック２３１１のコック取付軸２３１１ｂを、取付部材２３１３で重なった状態にある切欠溝２３２５，２３２１ｂ，２３２４に通すことにより、注出コック２３１１のコック取付軸２３１１ｂを取付部材２３１３の貫通穴２３１３ｃに位置させる。その後は、取付部材２３１３のユニオンねじ２３１３ａに対し注出コック２３１１のユニオンナット２３１１ａを螺合させることによって、注出コック２３１１を軸取付部材２３１３に取り付ける。
【０１６６】
以上より、飲料注出経路（注出コック２３１１や、コック取付軸２３１１ｂ、ワンタッチ継手２３１１ｃ、不図示の飲料ホースから形成されるもの）が約９０度に湾曲していても、コック取付軸２３１１ｂやワンタッチ継手２３１１ｃ（飲料注出経路内をなるべく外気に触れないようにすべくクリーンな状態を保つため不図示の飲料ホースが取り付けられた状態を含む）が一体となった状態の注出コック２３１１をそのままの状態で軸取付部材２３１３に非常に簡単に取り付けることができる。
【０１６７】
また、その逆に、ユニオンナット２３１１ａをユニオンねじ２３１３ａから回し外すことにより、注出コック２３１１を軸取付部材２３１３から取り外すことができる。このとき、取付部材２３１３の貫通穴２３１３ｃに位置する注出コック２３１１のコック取付軸２３１１ｂを、カバー２３１２を取り外した状態にある取付部材２３１３において重なった状態にある切欠溝２３２５，２３２１ｂ，２３２４に通して、取付部材２３１３の外部に引き上げることにより、注出コック２３１１を軸取付部材２３１３から取り外す。
【０１６８】
以上より、飲料注出経路（注出コック２３１１や、コック取付軸２３１１ｂ、ワンタッチ継手２３１１ｃ、不図示の飲料ホースから形成されるもの）が約９０度に湾曲していても、コック取付軸２３１１ｂやワンタッチ継手２３１１ｃ（飲料注出経路内をなるべく外気に触れないようにすべくクリーンな状態を保つため不図示の飲料ホースが取り付けられた状態を含む）が一体となった状態の注出コック２３１１をそのままの状態で軸取付部材２３１３から非常に簡単に取り外すことができる。
【０１６９】
また、図７８と図７９に示すように、上記飲料注出経路（注出コック２３１１や、コック取付軸２３１１ｂ、ワンタッチ継手２３１１ｃ、不図示の飲料ホースから形成されるもの）は、軸取付部材２３１３において重なった状態にある切欠溝２３２５，２３２１ｂ，２３２４を介して、取り付け・取り外しが可能である。
【０１７０】
よって、第１３実施の形態のカウンタードラフト２３０１は、洗浄殺菌を必要とする上記飲料注出経路（注出コック２３１１や、コック取付軸２３１１ｂ、ワンタッチ継手２３１１ｃ、不図示の飲料ホースから形成されるもの）を軸取付部材２３１３やタワー本体２３１４に対し容易に取り付け・取り外しが行え、上記飲料注出経路（注出コック２３１１や、コック取付軸２３１１ｂ、ワンタッチ継手２３１１ｃ、不図示の飲料ホースから形成されるもの）の洗浄作業をより簡便にし、飲料の劣化を防ぎ、美味の飲料の注出を可能している。
【０１７１】
また、第１３実施の形態のカウンタードラフト２３０１では、上記飲料注出経路（注出コック２３１１や、コック取付軸２３１１ｂ、ワンタッチ継手２３１１ｃ、不図示の飲料ホースから形成されるもの）について、洗浄済みにあるものをそのまま入れ替えることができる。
【０１７２】
従って、第１３実施の形態のカウンタードラフト２３０１では、上記飲料注出経路（注出コック２３１１や、コック取付軸２３１１ｂ、ワンタッチ継手２３１１ｃ、不図示の飲料ホースから形成されるもの）の接続等が容易であることから、洗浄時だけでなく設置時にも、効果を発揮する。
【０１７３】
また、その一方で、ユニオンねじ２３１３ａを軸取付部材２３１３に取り付け・取り外しをする際には、軸取付部材２３１３やタワー本体２３１４に対して、４本のトラスネジ２３２１を回すためのドライバーだけで取り付け・取り外しが可能である。これによって、その取り付け・取り外し作業を比較的簡単で確実に行うことができるようになり、また、位置決めピンなどの部品が不要であり部品数の削減に貢献することができ、さらに、その取り付け・取り外し作業作業が格段に楽になる。また、タワー本体２３１４内のスペースを大きくとれるので、その取り付け・取り外し作業がやすくなる。
【実施例１４】
【０１７４】
第１４実施の形態のカウンタードラフトを図９０乃至図９２に示す。図９０乃至図９２は、第１４実施の形態のカウンタードラフトの使用時の部分断面図である。
【０１７５】
図９０乃至図９２に示すように、第１４実施の形態のカウンタードラフト２４０１は、注出コック２４１１や、カバー２４１２、軸取付部材２４１３、タワー本体２４１４などから構成され、タワー本体２０１４が不図示のカウンターに固定される。そして、図９０乃至図９２に示すように、第１４実施の形態のカウンタードラフト２４０１では、注出コック２４１１や、コック取付軸２４１１ｂ、ワンタッチ継手２４１１ｃ、及び、そのワンタッチ継手２４１１ｃに取り付けられる付図示の飲料ホースから、飲料注出経路が形成されている。
【０１７６】
この点、飲料注出経路（注出コック２４１１や、コック取付軸２４１１ｂ、ワンタッチ継手２４１１ｃ、不図示の飲料ホースから形成されるもの）は、注出コック２４１１が軸取付部材２４１３に取り付けられた際には、注出コック２４１１が横方向に固定される一方で、縦方向のタワー本体２４１４内に不図示の飲料ホースを導くため、コック取付軸２４１１ｂを介して、不図示の飲料ホースが着脱されるワンタッチ継手２４１１ｃが下方を向いて固定されており、これにより、全体として、約９０度に湾曲している。
【０１７７】
また、軸取付部材２４１３には、図９０乃至図９２に示すように、ユニオン継手を構成するユニオンねじ２４１３ａが突設されている。一方、図９０乃至図９２に示すように、注出コック２４１１には、ユニオン継手を構成するユニオンナット２４１１ａが設けられている。従って、図９１に示すように、ユニオンねじ２４１３ａに対しユニオンナット２４１１ａを螺合させることにより、注出コック２４１１を軸取付部材２４１３に取り付けることができる。
【０１７８】
もっとも、このとき、ユニオンナット２４１１ａを注出コック２４１１側にスライドさせることにより、飲料注出経路（注出コック２４１１や、コック取付軸２４１１ｂ、ワンタッチ継手２４１１ｃ、不図示の飲料ホースから形成されるもの）や、ユニオンねじ２４１３ａなどの接続部分を見やすくすることができる。また、ユニオンねじ２４１３ａなどはメッキされていないが、ユニオンナット２４１１ａを注出コック２４１１の反対側にスライドさせてユニオンねじ２４１３ａに螺合させることにより、メッキされたユニオンナット２４１１ａで覆われる。このとき、図９０内の拡大図に示すように、注出コック２４１１に設けられた第１ナット２４１１ｚ内の突起部２４３１に対してユニオンナット２４１１ａの一端（メッキされていない）が接触する構造になっており、これにより、逆に、第１ナット２４１１ｚの一端２４３３がユニオンナット２４１１ａに接触しない構造になっている。このような構造では、第１ナット２４１１ｚの一端２４３３がユニオンナット２４１１ａのメッキ面を傷つ付けることがない。
【０１７９】
さらに、このとき、コック取付軸２４１１ｂは、ユニオンねじ２４１３ａの中央に設けられた不図示の貫通穴に位置する。そして、ユニオンねじ２４１３ａが設けられた軸取付部材２４１３には、軸取付部材２４１３の上端から貫通穴（不図示）にまで不図示の切欠溝が設けれられている。従って、注出コック２４１１を軸取付部材２４１３に取り付ける際は、カバー２４１２を取り外した状態の軸取付部材２４１３において、注出コック２４１１のコック取付軸２４１１ｂを取付部材２４１３の切欠溝（不図示）を通すことにより、注出コック２４１１のコック取付軸２４１１ｂを取付部材２４１３の貫通穴（不図示）に位置させる。その後は、取付部材２４１３のユニオンねじ２４１３ａに対し注出コック２４１１のユニオンナット２４１１ａを螺合させることによって、注出コック２４１１を軸取付部材２４１３に取り付ける。
この点は、上述した第１０実施の形態のカウンタードラフト２００１（図５９乃至図６２参照）と同様である。
【０１８０】
以上より、飲料注出経路（注出コック２４１１や、コック取付軸２４１１ｂ、ワンタッチ継手２４１１ｃ、不図示の飲料ホースから形成されるもの）が約９０度に湾曲していても、コック取付軸２４１１ｂやワンタッチ継手２４１１ｃ（飲料注出経路内をなるべく外気に触れないようにすべくクリーンな状態を保つため不図示の飲料ホースが取り付けられた状態を含む）が一体となった状態の注出コック２４１１をそのままの状態で軸取付部材２４１３に非常に簡単に取り付けることができる。
【０１８１】
また、その逆に、ユニオンナット２４１１ａをユニオンねじ２４１３ａから回し外すことにより、注出コック２４１１を軸取付部材２４１３から取り外すことができる。このとき、取付部材２４１３の貫通穴（不図示）に位置する注出コック２４１１のコック取付軸２４１１ｂを、カバー２４１２を取り外した状態にある取付部材２４１３の切欠溝（不図示）を通して、取付部材２４１３の外部に引き上げることにより、注出コック２４１１を軸取付部材２４１３から取り外す。
この点は、上述した第１０実施の形態のカウンタードラフト２００１（図５９乃至図６２参照）と同様である。
【０１８２】
以上より、飲料注出経路（注出コック２４１１や、コック取付軸２４１１ｂ、ワンタッチ継手２４１１ｃ、飲料ホース２４１５から形成されるもの）が約９０度に湾曲していても、コック取付軸２４１１ｂやワンタッチ継手２４１１ｃ（飲料注出経路内をなるべく外気に触れないようにすべくクリーンな状態を保つため不図示の飲料ホースが取り付けられた状態を含む）が一体となった状態の注出コック２４１１をそのままの状態で軸取付部材２４１３から非常に簡単に取り外すことができる。
【０１８３】
また、図９０乃至図９２に示すように、上記飲料注出経路（注出コック２４１１や、コック取付軸２４１１ｂ、ワンタッチ継手２４１１ｃ、不図示の飲料ホースから形成されるもの）は、軸取付部材２４１３の切欠溝（不図示）を介して、軸取付部材２４１３やタワー本体２４１４に対して、工具無しで取り付け・取り外しが可能である。
【０１８４】
よって、第１４実施の形態のカウンタードラフト２４０１は、洗浄殺菌を必要とする上記飲料注出経路（注出コック２４１１や、コック取付軸２４１１ｂ、ワンタッチ継手２４１１ｃ、不図示の飲料ホースから形成されるもの）を軸取付部材２４１３やタワー本体２４１４に対し容易に取り付け・取り外しが行え、上記飲料注出経路（注出コック２４１１や、コック取付軸２４１１ｂ、ワンタッチ継手２４１１ｃ、不図示の飲料ホースから形成されるもの）の洗浄作業をより簡便にし、飲料の劣化を防ぎ、美味の飲料の注出を可能している。
【０１８５】
また、第１４実施の形態のカウンタードラフト２４０１では、上記飲料注出経路（注出コック２４１１や、コック取付軸２４１１ｂ、ワンタッチ継手２４１１ｃ、不図示の飲料ホースから形成されるもの）について、洗浄済みにあるものをそのまま入れ替えることができる。
【０１８６】
従って、第１４実施の形態のカウンタードラフト２４０１では、上記飲料注出経路（注出コック２４１１や、コック取付軸２４１１ｂ、ワンタッチ継手２４１１ｃ、不図示の飲料ホースから形成されるもの）の接続等が容易であることから、洗浄時だけでなく設置時にも、効果を発揮する。
【０１８７】
そして、第１４実施の形態のカウンタードラフト２４０１では、上記飲料注出経路（注出コック２４１１や、コック取付軸２４１１ｂ、ワンタッチ継手２４１１ｃ、不図示の飲料ホースから形成されるもの）を、軸取付部材２４１３やタワー本体２４１４に対して、工具無しで取り付け・取り外しをする際において、ユニオンナット２４１１ａを注出コック２４１１側にスライドさせることにより、飲料注出経路（注出コック２４１１や、コック取付軸２４１１ｂ、ワンタッチ継手２４１１ｃ、不図示の飲料ホースから形成されるもの）やユニオンねじ２４１３ａなどの接続部分が見やすくなることから、その取り付け・取り外し作業がしやすくなり、また、ユニオンナット２４１１ａを注出コック２４１１の反対側にスライドさせてユニオンねじ２４１３ａに螺合させると、メッキされたユニオンナット２４１１ａに覆われることから、ユニオンねじ２４１３ａなどの外から見えない部分のメッキを不要にさせることができ、さらに、第１ナット２４１１ｚの一端２４３３がユニオンナット２４１１ａに接触できない構造により、第１ナット２４１１ｚの一端２４３３がユニオンナット２４１１ａのメッキ面を傷つ付けることがない。
【実施例１５】
【０１８８】
次に、第１５実施の形態のカウンタードラフトで使用される飲料注出経路について説明する。図９３は、第１５実施の形態のカウンタードラフトで使用される飲料注出経路の側面図である。
【０１８９】
図９３に示すように、第１５実施の形態のカウンタードラフトで使用される飲料注出経路は、注出コック２５１１や、コック取付軸２５１１ｂ、継手２５１１ｃ、飲料ホース２５１５から形成されている。この点、注出コック２５１１は樹脂製のものを使用する。また、継手２５１１ｃにおいては、図９３内の拡大図で示すように、ＳＵＳ３０４製のジョイント２５１１ｄを飲料ホース２５１５内に差し込むとともに２本の針金２５１１ｅを巻き付けることによって固定させている。
【０１９０】
ここで、継手２５１１ｃを構成するジョイント２５１１ｄについて、その正面図を図９４に示し、図９４の線Ｇ´−Ｇ´で切断した断面図を図９５に示す。また、ジョイント２５１１ｄ内にセッティングされるパッキン２５１１ｆの正面図を図９６に示し、図９６の線Ｈ´−Ｈ´で切断した断面図を図９７に示す。
【０１９１】
以上より、第１５実施の形態のカウンタードラフトで使用される飲料注出経路（注出コック２５１１や、コック取付軸２５１１ｂ、継手２５１１ｃ、飲料ホース２５１５から形成されるもの）は、樹脂製の注出コック２５１１とＳＵＳ３０４製のジョイント２５１１ｄとを使用しているので、飲料注出経路（注出コック２５１１や、コック取付軸２５１１ｂ、継手２５１１ｃ、飲料ホース２５１５から形成されるもの）内の飲料がビール以外のもの、例えば、酎ハイであっても、腐食することがない。従って、第１５実施の形態のカウンタードラフトで使用される飲料注出経路は、その内部を流れる飲料がビールと酎ハイのいずれであっても、飲料注出経路（注出コック２５１１や、コック取付軸２５１１ｂ、継手２５１１ｃ、飲料ホース２５１５から形成されるもの）を共通にすることができることから、コストダウンに貢献することができる。
【０１９２】
さらに、ビール専用のカウンタードラフトにおいては、そこで使用される飲料注出経路に対して、樹脂製の注出コック２５１１やジョイント２５１１ｄなどから構成される継手２５１１ｃに交換すれば、酎ハイ用のカウンタードラフトとして使用することができるので、交換部品が少なく余分な手間がかからない。
【産業上の利用可能性】
【０１９３】
本発明は、カウンタードラフトにおける飲料注出経路の交換に適用し得る。
【図面の簡単な説明】
【０１９４】
【図１】第１実施の形態のカウンタードラフトの使用時の側面図である。
【図２】第１実施の形態のカウンタードラフトの分解時の側面図である。
【図３】第１実施の形態のカウンタードラフトの軸取付部材付近の断面図である。
【図４】第１実施の形態のカウンタードラフトに取付可能なカバーの側面図である。
【図５】第２実施の形態のカウンタードラフトの使用時の側面図である。
【図６】第２実施の形態のカウンタードラフトの分解時の側面図である。
【図７】第３実施の形態のカウンタードラフトの使用時の側面図である。
【図８】第３実施の形態のカウンタードラフトの分解時の側面図である。
【図９】第４実施の形態のカウンタードラフトの使用時の正面図である。
【図１０】第４実施の形態のカウンタードラフトの使用時の側面図である。
【図１１】第４実施の形態のカウンタードラフトの使用時の上面図である。
【図１２】第４実施の形態のカウンタードラフトを図１０の線Ｂ−Ｂで切断した部分断面図である。
【図１３】第４実施の形態のカウンタードラフトの分解時の部分断面図である。
【図１４】第４実施の形態のカウンタードラフトにおける飲料注出経路を示した側面図である。
【図１５】第４実施の形態のカウンタードラフトにおける飲料注出経路を示した上面図である。
【図１６】第４実施の形態のカウンタードラフトにおけるタワー本体を示した正面図である。
【図１７】第４実施の形態のカウンタードラフトにおけるタワー本体を示した側面図である。
【図１８】第４実施の形態のカウンタードラフトにおけるカバーを示した部分断面図である。
【図１９】第４実施の形態のカウンタードラフトにおける飲料注出経路の一部を示した正面図である。
【図２０】第５実施の形態のカウンタードラフトの使用時の正面図である。
【図２１】第５実施の形態のカウンタードラフトの分解時の側面図である。
【図２２】第５実施の形態のカウンタードラフトの使用時の上面図である。
【図２３】第５実施の形態のカウンタードラフトを図２０の線Ｃ−Ｃで切断した部分断面図である。
【図２４】第５実施の形態のカウンタードラフトにおける飲料注出経路を示した側面図である。
【図２５】第５実施の形態のカウンタードラフトのカバーとタワー本体を示した正面図である。
【図２６】第５実施の形態のカウンタードラフトのカバーとタワー本体に対して飲料注出経路を取り付けた際の状態を示した正面図である。
【図２７】第６実施の形態のカウンタードラフトの使用時の正面図である。
【図２８】第６実施の形態のカウンタードラフトの分解時の側面図である。
【図２９】第６実施の形態のカウンタードラフトの分解時の上面図である。
【図３０】第６実施の形態のカウンタードラフトの側面図である。
【図３１】第６実施の形態のカウンタードラフトにおける飲料注出経路を示した側面図である。
【図３２】第７実施の形態のカウンタードラフトの使用時の説明図である。
【図３３】第７実施の形態のカウンタードラフトを図３２の線Ｄ−Ｄで切断した断面図である。
【図３４】第７実施の形態のカウンタードラフトの側面図である。
【図３５】第７実施の形態のカウンタードラフトの一部を拡大した断面図である。
【図３６】第７実施の形態のカウンタードラフトの分解時における一部を拡大した断面図である。
【図３７】第８実施の形態のカウンタードラフトの使用時の説明図である。
【図３８】第８実施の形態のカウンタードラフトを図３７の線Ｅ−Ｅで切断した断面図である。
【図３９】第８実施の形態のカウンタードラフトの側面図である。
【図４０】第８実施の形態のカウンタードラフトの一部を拡大した断面図である。
【図４１】第８実施の形態のカウンタードラフトの分解時における一部を拡大した断面図である。
【図４２】第８実施の形態のカウンタードラフトを図４１の線Ｆ−Ｆで切断した断面図である。
【図４３】第８実施の形態のカウンタードラフトを図４１の線Ｇ−Ｇで切断した断面図である。
【図４４】第９実施の形態のカウンタードラフトの使用時の説明図である。
【図４５】第９実施の形態のカウンタードラフトを図４４の線Ｈ−Ｈで切断した断面図である。
【図４６】第９実施の形態のカウンタードラフトを図４４の線Ｈ−Ｈで切断した断面図であって、飲料ホースのみを取り出した際の状態を示したものである。
【図４７】第９実施の形態のカウンタードラフトの一例を図４４の線Ｈ−Ｈで切断した断面図である。
【図４８】第９実施の形態のカウンタードラフトの一例を図４４の線Ｈ−Ｈで切断した断面図であって、飲料ホースのみを取り出した際の状態を示したものである。
【図４９】第９実施の形態のカウンタードラフトで使用し得るパイプ部材の一例を示した平面図である。
【図５０】第９実施の形態のカウンタードラフトで使用し得るパイプ部材の一例を示した平面図である。
【図５１】背景技術のカウンタードラフトの使用時の側面図である。
【図５２】背景技術のカウンタードラフトの使用時の断面図である。
【図５３】背景技術のカウンタードラフトの使用時の側面図である。
【図５４】背景技術のカウンタードラフトの使用時の部分断面図である。
【図５５】背景技術のカウンタードラフトの使用時の側面図である。
【図５６】背景技術のカウンタードラフトの分解時の側面図である。
【図５７】背景技術のカウンタードラフトの使用時の説明図である。
【図５８】背景技術のカウンタードラフトを図５７の線Ａ−Ａで切断した断面図である。
【図５９】第１０実施の形態のカウンタードラフトの使用時の側面図である。
【図６０】第１０実施の形態のカウンタードラフトの一部を分解した側面図である。
【図６１】第１０実施の形態のカウンタードラフトの使用時の断面図である。
【図６２】第１０実施の形態のカウンタードラフトの一部を分解して拡大した側面図である。
【図６３】第１１実施の形態のカウンタードラフトの分解時の斜視図である。
【図６４】第１１実施の形態のカウンタードラフトの一部を分解した側面図である。
【図６５】第１１実施の形態のカウンタードラフトにおいて、軸取付部材に対し注出コックを取り付ける際のユニオン継手内の一部を示した部分断面図であって、図６４の部分Ｂ´を拡大したものである。
【図６６】第１１実施の形態のカウンタードラフトのユニオンつばの正面図である。
【図６７】第１１実施の形態のカウンタードラフトのユニオンつばの側面図である。
【図６８】第１１実施の形態のカウンタードラフトのユニオンつばの背面図である。
【図６９】第１１実施の形態のカウンタードラフトのユニオンつばの平面図である。
【図７０】第１１実施の形態のカウンタードラフトのユニオンねじの正面図である。
【図７１】第１１実施の形態のカウンタードラフトのユニオンねじの断面図であって、図７０の線Ｃ´−Ｃ´で切断したものである。
【図７２】第１１実施の形態のカウンタードラフトのユニオンねじの背面図である。
【図７３】第１１実施の形態のカウンタードラフトのユニオンねじの平面図である。
【図７４】第１２実施の形態のカウンタードラフトの一部を分解した側面図である。
【図７５】第１２実施の形態のカウンタードラフトの一部を分解した側面図である。
【図７６】第１２実施の形態のカウンタードラフトの使用時の側面図である。
【図７７】第１２実施の形態のカウンタードラフトの使用時の断面図である。
【図７８】第１３実施の形態のカウンタードラフトの使用時の断面図である。
【図７９】第１３実施の形態のカウンタードラフトの使用時でカバーを取り外した際の平面図である。
【図８０】第１３実施の形態のカウンタードラフトのユニオンねじの正面図である。
【図８１】第１３実施の形態のカウンタードラフトのユニオンねじの断面図であって、図８０の線Ｄ´−Ｄ´で切断したものである。
【図８２】第１３実施の形態のカウンタードラフトのユニオンねじの背面図である。
【図８３】第１３実施の形態のカウンタードラフトのユニオンねじの平面図である。
【図８４】第１３実施の形態のカウンタードラフトの軸取付部材の正面図である。
【図８５】第１３実施の形態のカウンタードラフトの軸取付部材の断面図であって、図８４の線Ｅ´−Ｅ´で切断したものである。
【図８６】第１３実施の形態のカウンタードラフトの軸取付部材の断面図であって、図８５の線Ｆ´−Ｆ´で切断したものである。
【図８７】第１３実施の形態のカウンタードラフトの軸取付部材の平面図である。
【図８８】第１３実施の形態のカウンタードラフトの固定板の正面図である。
【図８９】第１３実施の形態のカウンタードラフトの固定板の側面図である。
【図９０】第１４実施の形態のカウンタードラフトの使用時の部分断面図である。
【図９１】第１４実施の形態のカウンタードラフトの使用時の部分断面図である。
【図９２】第１４実施の形態のカウンタードラフトの使用時の部分断面図である。
【図９３】第１５実施の形態のカウンタードラフトで使用される飲料注出経路の側面図である。
【図９４】第１５実施の形態のカウンタードラフトで使用される継手を構成するジョイントの正面図である。
【図９５】第１５実施の形態のカウンタードラフトで使用される継手を構成するジョイントの断面図であって、図９４の線Ｇ´−Ｇ´で切断したものである。。
【図９６】第１５実施の形態のカウンタードラフトで使用されるジョイント内にセッティングされるパッキンの正面図である。
【図９７】第１５実施の形態のカウンタードラフトで使用されるジョイント内にセッティングされるパッキンの断面図であって、図９６の線Ｈ´−Ｈ´で切断したものである。
【符号の説明】
【０１９５】
１，３１，７１，１０１，２０１，２５１，３０１，４０１，５０１，２００１，２１０１，２２０１，２３０１，２４０１…カウンタードラフト
１１，４１，８１，１１１，２１１，２６１，３２０，４２０，５２０，２０１１，２１１１，２２１１，２３１１，２４１１，２５１１…注出コック
１３，４２，８２，２０１３，２１１３，２２１３，２３１３，２４１３…軸取付部材
１３ｄ，３２８ｂ，４２８ｂ，５２８ｂ…雌ネジ
１４，４４，８２，１１２，２１２，２６２ａ，２６２ｂ，３１９，４１９，５１９，２０１４，２１１４，２２１４，２３１４，２４１４…タワー本体
１４ａ，４４ａ，８８ａ…雄ネジ
１５，４５，８５，１１６，２１６，２６６，３１６，４１６，５１６，２０１５，２２１５，２５１５…飲料ホース
２１，５１，９１，１２１，２２１，２８１，３５１，４５１，５５１，２０２１…カウンター
５６，９１，３３５，４３５，５３５…ナット
１１２ｂ，１１２ｃ…Ｕ字切欠部
１３ａ，１１４ａ，２１４，２６４，３２８，４２８，５２８，２０１１ｂ，２１１１ｂ，２２１１ｂ，２３１１ｂ，２４１１ｂ，２５１１ｂ…コック取付軸
１１４ｄ…凹部
２７０…ヒンジ
２０１１ａ，２１１１ａ，２２１１ａ，２３１１ａ，２４１１ａ…ユニオンナット
２０１３ａ，２１１３ａ，２２１３ａ，２３１３ａ，２４１３ａ…ユニオンねじ
２０１３ｂ…切欠溝
２０１３ｃ，２１１３ｃ…貫通穴
２１１１ｅ…ユニオンつば
２１１３ｂ…突起部
２１１９…スペース
２２１２ａ…Ｏリング
【図１】
2006069665.tif 000003
【図２】
2006069665.tif 000004
【図３】
2006069665.tif 000005
【図４】
2006069665.tif 000006
【図５】
2006069665.tif 000007
【図６】
2006069665.tif 000008
【図７】
2006069665.tif 000009
【図８】
2006069665.tif 000010
【図９】
2006069665.tif 000011
【図１０】
2006069665.tif 000012
【図１１】
2006069665.tif 000013
【図１２】
2006069665.tif 000014
【図１３】
2006069665.tif 000015
【図１４】
2006069665.tif 000016
【図１５】
2006069665.tif 000017
【図１６】
2006069665.tif 000018
【図１７】
2006069665.tif 000019
【図１８】
2006069665.tif 000020
【図１９】
2006069665.tif 000021
【図２０】
2006069665.tif 000022
【図２１】
2006069665.tif 000023
【図２２】
2006069665.tif 000024
【図２３】
2006069665.tif 000025
【図２４】
2006069665.tif 000026
【図２５】
2006069665.tif 000027
【図２６】
2006069665.tif 000028
【図２７】
2006069665.tif 000029
【図２８】
2006069665.tif 000030
【図２９】
2006069665.tif 000031
【図３０】
2006069665.tif 000032
【図３１】
2006069665.tif 000033
【図３２】
2006069665.tif 000034
【図３３】
2006069665.tif 000035
【図３４】
2006069665.tif 000036
【図３５】
2006069665.tif 000037
【図３６】
2006069665.tif 000038
【図３７】
2006069665.tif 000039
【図３８】
2006069665.tif 000040
【図３９】
2006069665.tif 000041
【図４０】
2006069665.tif 000042
【図４１】
2006069665.tif 000043
【図４２】
2006069665.tif 000044
【図４３】
2006069665.tif 000045
【図４４】
2006069665.tif 000046
【図４５】
2006069665.tif 000047
【図４６】
2006069665.tif 000048
【図４７】
2006069665.tif 000049
【図４８】
2006069665.tif 000050
【図４９】
2006069665.tif 000051
【図５０】
2006069665.tif 000052
【図５１】
2006069665.tif 000053
【図５２】
2006069665.tif 000054
【図５３】
2006069665.tif 000055
【図５４】
2006069665.tif 000056
【図５５】
2006069665.tif 000057
【図５６】
2006069665.tif 000058
【図５７】
2006069665.tif 000059
【図５８】
2006069665.tif 000060
【図５９】
2006069665.tif 000061
【図６０】
2006069665.tif 000062
【図６１】
2006069665.tif 000063
【図６２】
2006069665.tif 000064
【図６３】
2006069665.tif 000065
【図６４】
2006069665.tif 000066
【図６５】
2006069665.tif 000067
【図６６】
2006069665.tif 000068
【図６７】
2006069665.tif 000069
【図６８】
2006069665.tif 000070
【図６９】
2006069665.tif 000071
【図７０】
2006069665.tif 000072
【図７１】
2006069665.tif 000073
【図７２】
2006069665.tif 000074
【図７３】
2006069665.tif 000075
【図７４】
2006069665.tif 000076
【図７５】
2006069665.tif 000077
【図７６】
2006069665.tif 000078
【図７７】
2006069665.tif 000079
【図７８】
2006069665.tif 000080
【図７９】
2006069665.tif 000081
【図８０】
2006069665.tif 000082
【図８１】
2006069665.tif 000083
【図８２】
2006069665.tif 000084
【図８３】
2006069665.tif 000085
【図８４】
2006069665.tif 000086
【図８５】
2006069665.tif 000087
【図８６】
2006069665.tif 000088
【図８７】
2006069665.tif 000089
【図８８】
2006069665.tif 000090
【図８９】
2006069665.tif 000091
【図９０】
2006069665.tif 000092
【図９１】
2006069665.tif 000093
【図９２】
2006069665.tif 000094
【図９３】
2006069665.tif 000095
【図９４】
2006069665.tif 000096
【図９５】
2006069665.tif 000097
【図９６】
2006069665.tif 000098
【図９７】
2006069665.tif 000099